(57)【要約】例えば、新無線（ＮＲ）などにおける信頼性のある制御シグナリングのためのシステム、方法、および手段が開示される。無線送受信ユニット（ＷＴＲＵ）の受信機は、ダウンリンク制御情報（ＤＣＩ）を含む１つまたは複数の物理ダウンリンク制御チャネル（ＰＤＣＣＨ）送信を受信できる。ＷＴＲＵは、アップリンク制御情報（ＵＣＩ）に関連付けられた送信プロファイルを決定できる。送信プロファイルに基づいて、ＷＴＲＵは、ＵＣＩの送信に関連付けられた１つまたは複数の送信特性を決定できる。ＷＴＲＵは、物理アップリンク制御チャネル（ＰＵＣＣＨ）を介してＵＣＩを送信できる。ＵＣＩは、ＷＴＲＵにより決定された送信特性を用いて送信され得る。ＷＴＲＵは、制御リソースセット（ＣＯＲＥＳＥＴ）、探索空間、または無線ネットワーク一時識別子（ＲＮＴＩ）のうちの少なくとも１つに基づいてＵＣＩを送信できる。ＷＴＲＵは、送信プロファイルを、ＵＣＩが含み得るものに基づいて異なるように決定できる。
2020523856.tif 000002
【特許請求の範囲】
【請求項１】
無線送受信ユニット（ＷＴＲＵ）であって、
ダウンリンク制御情報（ＤＣＩ）を含む少なくとも１つの物理ダウンリンク制御チャネル（ＰＤＣＣＨ）送信を受信するように構成された受信機と、
プロセッサであって、少なくとも
アップリンク制御情報（ＵＣＩ）に関連付けられた送信プロファイルを決定し、前記送信プロファイルは、少なくとも、前記ＵＣＩに関連付けられたデータに対する論理チャネルまたは論理チャネルグループの識別、および前記少なくとも１つのＰＤＣＣＨ送信の特性に基づいて決定され、前記ＰＤＣＣＨ送信は、制御リソースセット（ＣＯＲＥＳＥＴ）の１つまたは複数のリソースにマップされ、
前記送信プロファイルに基づいて、前記ＵＣＩの前記送信に関連付けられた１つまたは複数の送信特性を決定し、前記１つまたは複数の送信特性は、１つまたは複数の符号化パラメータ、１つまたは複数の送信電力パラメータ、１つまたは複数のリソース割り当てパラメータ、または優先順位レベルを含む、
ように構成されたプロセッサと、
物理アップリンク制御チャネル（ＰＵＣＣＨ）を介して前記ＵＣＩを送信するように構成された送信機であって、前記ＵＣＩは前記決定された送信特性を用いて送信される、送信機と
を備えた無線送受信ユニット（ＷＴＲＵ）。
【請求項２】
前記送信機は、前記ＣＯＲＥＳＥＴ、探索空間、または無線ネットワーク一時識別子（ＲＮＴＩ）に基づいて、前記ＵＣＩを送信するように構成された請求項１に記載のＷＴＲＵ。
【請求項３】
前記送信プロファイルは、前記受信されたＤＣＩにおける１つまたは複数のＤＣＩフィールド、または前記ＤＣＩもしくは前記ＵＣＩの１つまたは複数のものを送信するのに使用される帯域幅部分（ＢＷＰ）の識別のうちの１つまたは複数に基づいて決定される請求項１に記載のＷＴＲＵ。
【請求項４】
前記ＤＣＩは、第１のＤＣＩおよび第２のＤＣＩを含み、前記第１のＤＣＩは、第１の制御リソースセット（ＣＯＲＥＳＥＴ）を使用して受信され、また前記第２のＤＣＩは、第２のＣＯＲＥＳＥＴを用いて受信される請求項１に記載のＷＴＲＵ。
【請求項５】
前記第１のＣＯＲＥＳＥＴまたは前記第２のＣＯＲＥＳＥＴのそれぞれは、コンポーネントキャリア、少なくとも１つのＢＷＰ、各帯域幅部分内のリソースブロックのサブセット、スロットもしくはミニスロット内の時間シンボルのセット、サブキャリア間隔、サブフレーム内のスロットのサブセット、または少なくとも１つの参照信号のうちの１つまたは複数を含む請求項４に記載のＷＴＲＵ。
【請求項６】
前記ＵＣＩは、前記第１のＤＣＩまたは前記第２のＤＣＩの１つまたは複数のものに関連付けられたフィードバック情報ビットを含む請求項４に記載のＷＴＲＵ。
【請求項７】
前記ＵＣＩは、第１のＵＣＩおよび第２のＵＣＩを含み、前記第１のＵＣＩまたは前記第２のＵＣＩは、前記第１のＤＣＩまたは前記第２のＤＣＩにより割り当てられたデータ送信に対するフィードバック情報ビットを含む請求項４に記載のＷＴＲＵ。
【請求項８】
前記ＵＣＩは、第１のＵＣＩおよび第２のＵＣＩを含み、前記第２のＵＣＩは、前記第１のＵＣＩの冗長送信に対応する請求項１に記載のＷＴＲＵ。
【請求項９】
前記第１のＵＣＩまたは前記第２のＵＣＩは、ハイブリッド自動再送要求（ＨＡＲＱ）、スケジューリング要求（ＳＲ）、またはチャネル品質指標（ＣＱＩ）のうちの１つまたは複数を含む請求項８に記載のＷＴＲＵ。
【請求項１０】
アップリンク制御情報（ＵＣＩ）送信方法であって、
ダウンリンク制御情報（ＤＣＩ）を含む少なくとも１つの物理ダウンリンク制御チャネル（ＰＤＣＣＨ）送信を受信するステップと、
アップリンク制御情報（ＵＣＩ）に関連付けられた送信プロファイルを決定するステップであって、前記送信プロファイルは、少なくとも、前記ＵＣＩに関連付けられたデータに対する論理チャネルまたは論理チャネルグループの識別、および前記少なくとも１つのＰＤＣＣＨ送信の特性に基づいて決定され、前記ＰＤＣＣＨ送信は、制御リソースセット（ＣＯＲＥＳＥＴ）の１つまたは複数のリソースにマップされる、ステップと、
前記送信プロファイルに基づいて、前記ＵＣＩの前記送信に関連付けられた１つまたは複数の送信特性を決定するステップであって、前記１つまたは複数の送信特性は、１つまたは複数の符号化パラメータ、１つまたは複数の送信電力パラメータ、１つまたは複数のリソース割り当てパラメータ、または優先順位レベルを含む、ステップと、
前記ＵＣＩを、物理アップリンク制御チャネル（ＰＵＣＣＨ）を介して送信するステップであって、前記ＵＣＩは、前記決定された送信特性を用いて送信される、ステップと
を含むアップリンク制御情報（ＵＣＩ）送信方法。
【請求項１１】
前記ＤＣＩフィールドは、ハイブリッド自動再送要求（ＨＡＲＱ）プロセスインデックス、または論理チャネル優先順位を示す請求項１０に記載の方法。
【請求項１２】
前記少なくとも１つのＰＤＣＣＨ送信の前記特性は、以下のもの、すなわち、制御リソースセット（ＣＯＲＥＳＥＴ）、モニタリング期間、前記ＰＤＣＣＨが、スロットの開始時にモニタされるかどうか、前記ＰＤＣＣＨを復号するのに使用される探索空間もしくは集約レベル、または帯域幅部分、のうちの１つまたは複数を含む請求項１０に記載の方法。
【請求項１３】
前記ＵＣＩが、ハイブリッド自動再送要求肯定応答（ＨＡＲＱ  ＡＣＫ）を含む場合、前記送信プロファイルは、物理ダウンリンク共有チャネル（ＰＤＳＣＨ）の送信に関連付けられた以下のもの、すなわち、前記送信の持続期間、帯域幅部分、ニューメロロジ、または制御情報に対する変調符号化方式（ＭＣＳ）テーブル、のうちの１つまたは複数に基づいて決定される請求項１０に記載の方法。
【請求項１４】
前記ＵＣＩが、チャネル状態情報（ＣＳＩ）を含む場合、前記送信プロファイルは、ＣＳＩ、またはＣＳＩレポート設定に関連付けられたブロック誤り率（ＢＬＥＲ）ターゲットの値の１つまたは複数に基づいてさらに決定される請求項１０に記載の方法。
【請求項１５】
前記ＵＣＩがスケジューリング要求（ＳＲ）を含む場合、前記送信プロファイルは、前記ＳＲの送信に対して構成された物理アップリンク制御チャネル（ＰＵＣＣＨ）リソースに関連付けられた以下のもの、すなわち、サブキャリア間隔、ＰＵＣＣＨリソースの持続期間、ＳＲ構成に関連付けられた論理チャネル、前記論理チャネルに関連付けられた優先順位、のうちの１つまたは複数に基づいてさらに決定される請求項１０に記載の方法。
【請求項１６】
前記ＵＣＩを伝達する前記ＰＵＣＣＨは、アップリンク（ＵＬ）キャリア、および補助的なアップリンク（ＳＵＬ）キャリアで送信される請求項１０に記載の方法。
【発明の詳細な説明】
【技術分野】
【０００１】
信頼性のある制御シグナリングに関する。
【背景技術】
【０００２】
関連出願への相互参照
本出願は、２０１７年６月１４日に出願された米国特許仮出願第６２／５１９，５８５号明細書、２０１７年１１月１４日に出願された米国特許仮出願第６２／５８５，９３７号明細書、２０１８年４月３日に出願された米国特許仮出願第６２／６５２，００２号明細書、および２０１８年５月４日に出願された米国特許仮出願第６２／６６７，０１５号明細書の利益を請求し、その内容を本明細書に参照により組み込むものとする。
【０００３】
無線通信を用いるモバイル通信は進化し続けている。第５世代または次世代（ＮＧ）無線システムは、５Ｇまたは新無線（ＮＲ：New Radio）と呼ぶことができる。モバイル通信の前の世代は、例えば、第４世代（４Ｇ）ロングタームエボリューション（ＬＴＥ）とすることができる。ＮＲに対する使用例のセットは、一般に、拡張モバイルブロードバンド（ｅＭＢＢ）、超高信頼低遅延通信（ＵＲＬＬＣ）、または大規模マシンタイプ通信（ｍＭＴＣ）のうちの１つに分類され得る。
【発明の概要】
【発明が解決しようとする課題】
【０００４】
このような用例に使用される現在の処理および送信機構は、効率において劣る可能性がある。
【課題を解決するための手段】
【０００５】
例えば、新無線（ＮＲ）における信頼性のある制御シグナリングのためのシステム、方法、および手段が開示される。無線送受信ユニット（ＷＴＲＵ）における受信機は、ダウンリンク制御情報（ＤＣＩ）を含む１つまたは複数の物理ダウンリンク制御チャネル（ＰＤＣＣＨ）送信を受信することができる。ＷＴＲＵは、アップリンク制御情報（ＵＣＩ）に関連付けられた送信プロファイルを決定することができる。送信プロファイルは、以下のうちの１つまたは複数のもの、すなわち、ＵＣＩに関連付けられたデータに対する論理チャネル、または論理チャネルグループの識別、および少なくとも１つのＰＤＣＣＨ送信の特性に基づいて決定され得る。ＰＤＣＣＨ送信は、制御リソースセット（ＣＯＲＥＳＥＴ）の１つまたは複数のリソースにマップされ得る。
【０００６】
送信プロファイルは、受信されたＤＣＩにおける１つまたは複数のＤＣＩフィールド、またはＤＣＩもしくはＵＣＩの１つまたは複数のものを送信するために使用される帯域幅部分（ＢＷＰ）の識別の１つまたは複数のものに基づいて決定され得る。
【０００７】
ＤＣＩは、第１のＤＣＩおよび第２のＤＣＩを含むことができる。ＤＣＩフィールドは、ハイブリッド自動再送要求（ＨＡＲＱ）プロセスインデックス、または論理チャネル優先順位を示すことができる。第１のＤＣＩは、第１の制御リソースセット（ＣＯＲＥＳＥＴ）を用いて受信され、また第２のＤＣＩは、第２のＣＯＲＥＳＥＴを用いて受信され得る。第１のＣＯＲＥＳＥＴまたは第２のＣＯＲＥＳＥＴは、以下の１つまたは複数のもの、すなわち、コンポーネントキャリア、少なくとも１つのＢＷＰ、各帯域幅部分内のリソースブロックのサブセット、スロットもしくはミニスロット内の時間シンボルのセット、サブキャリア間隔、サブフレーム内のスロットのサブセット、または少なくとも１つの参照信号（reference signal）を含むことができる。
【０００８】
ＵＣＩは、第１のＵＣＩおよび第２のＵＣＩを含むことができる。第１のＵＣＩまたは第２のＵＣＩは、ハイブリッド自動再送要求（ＨＡＲＱ）、スケジューリング要求（ＳＲ）、またはチャネル品質指標（ＣＱＩ）の１つまたは複数のものを含むことができる。ＵＣＩは、ＣＯＲＥＳＥＴ、探索空間（search space）、またはＲＮＴＩに基づいて送信され得る。ＵＣＩは、ＰＤＳＣＨ送信またはＰＤＣＣＨ送信に関連付けることができる。例では、第１のＵＣＩまたは第２のＵＣＩは、第１のＤＣＩまたは第２のＤＣＩにより割り当てられたデータ送信に対するフィードバック情報ビットを含むことができる。別の例では、第２のＵＣＩは、第１のＵＣＩの冗長送信に対応することができる。
【０００９】
送信プロファイルに基づいて、ＷＴＲＵは、ＵＣＩの送信に関連付けられる１つまたは複数の送信特性を決定することができる。１つまたは複数の送信特性は、以下のもの、すなわち、１つまたは複数の符号化パラメータ、１つまたは複数の送信電力パラメータ、１つまたは複数のリソース割り当てパラメータ、または優先順位レベル、のうちの少なくとも１つを含むことができる。
【００１０】
ＷＴＲＵは、物理アップリンク制御チャネル（ＰＵＣＣＨ）を介してＵＣＩを送信することができる。ＵＣＩは、ＷＴＲＵにより決定された送信特性を用いて送信することができる。ＷＴＲＵは、ＣＯＲＥＳＥＴ、探索空間、または無線ネットワーク一時識別子（ＲＮＴＩ）のうちの１つまたは複数のものに基づいて、ＵＣＩを送信することができる。ＵＣＩを伝達するＰＵＣＣＨは、アップリンク（ＵＬ）キャリアおよび／または補助的なアップリンク（ＳＵＬ）キャリア上で送信され得る。
【００１１】
ＷＴＲＵは、例えば、ＵＣＩが、ハイブリッド自動再送要求肯定応答（ＨＡＲＱ  ＡＣＫ）を含む場合、以下のもの、すなわち、送信の持続期間（duration）、帯域幅部分（bandwidth part）、ニューメロロジ、または制御情報に対する変調符号化方式（ＭＣＳ）テーブル、のうちの１つまたは複数のものに基づいて、ＰＤＳＣＨ送信に関連付けられた送信プロファイルを決定することができる。
【００１２】
ＷＴＲＵは、例えば、ＵＣＩが、チャネル状態情報（ＣＳＩ）を含む場合、以下のもの、すなわち、ＣＳＩに関連付けられたブロック誤り率（ＢＬＥＲ）ターゲットの値、またはＣＳＩレポート設定のうちの１つまたは複数のものに基づいて送信プロファイルを決定することができる。
【００１３】
ＷＴＲＵは、例えば、ＵＣＩが、ＳＲの送信用に構成された物理アップリンク制御チャネル（ＰＵＣＣＨ）リソースに関連付けられたスケジューリング要求（ＳＲ）を含む場合、以下のもの、すなわち、サブキャリア間隔、ＰＵＣＣＨリソースの持続期間（duration）、ＳＲ構成に関連付けられた論理チャネル、論理チャネルに関連付けられた優先順位、のうちの１つまたは複数のものに基づいて送信プロファイルを決定することができる。
【００１４】
より詳細な理解は、添付図面と併せて例として与えられた、以下の記述から得ることができる。
【図面の簡単な説明】
【００１５】
【図１Ａ】１つまたは複数の開示される実施形態が実施され得る例示的な通信システムを示す図である。
【図１Ｂ】図１Ａの通信システム内で使用され得る例示的な無線送受信ユニット（ＷＴＲＵ）を示す図である。
【図１Ｃ】図１Ａの通信システム内で使用され得る例示的な無線アクセスネットワーク（ＲＡＮ）、およびコアネットワーク（ＣＮ）を示すシステム図である。
【図１Ｄ】図１Ａの通信システム内で使用され得るさらなる例示的なＲＡＮおよびさらなるＣＮを示すシステム図である。
【図２】ダウンリンク制御情報（ＤＣＩ）ダイバーシティの例を示す図である。
【図３】ＤＣＩおよびアップリンク制御情報（ＵＣＩ）ダイバーシティの例を示す図である。
【発明を実施するための形態】
【００１６】
様々な図を参照して、次に、例示的な実施形態の詳細な説明を述べるものとする。本説明は、可能な実装形態の詳細な例を提供するが、細部は、例示的なものであり、決して本出願の範囲を限定するようには意図されていないことに留意されたい。
【００１７】
図１Ａは、１つまたは複数の開示される実施形態が実施され得る例示的な通信システム１００の図である。通信システム１００は、複数の無線ユーザに、音声、データ、ビデオ、メッセージング、同報通信などのコンテンツを提供する複数のアクセスシステムとすることができる。通信システム１００は、複数の無線ユーザに、無線帯域幅を含むシステムリソースを共有することにより、このようなコンテンツにアクセスできるようにする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロック−フィルタ処理されたＯＦＤＭ（resource block-filtered OFDM）、フィルタバンクマルチキャリア（ＦＢＭＣ）、および同様のものなど、１つまたは複数のチャネルアクセス法を使用することができる。
【００１８】
図１Ａで示すように、通信システム１００は、無線送受信ユニット（ＷＴＲＵ）１０２ａ、１０２ｂ、１０２ｃ、１０２ｄ、ＲＡＮ１０４／１１３、ＣＮ１０６／１１５、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄのそれぞれは、無線環境で動作し、かつ／または通信するように構成された任意のタイプのデバイスとすることができる。例として、ＷＴＲＵ１０２ａ、１０２ｂ、１０２ｃ、１０２ｄは、そのいずれも「ステーション」および／または「ＳＴＡ」と呼ばれ得るが、無線信号を送信かつ／または受信するように構成され、またユーザ機器（ＵＥ）、移動局、固定または移動加入者ユニット、サブスクリプションベースのユニット、ページャ、セルラ式電話、携帯情報端末（ＰＤＡ）、スマートフォン、ラップトップ、ネットブック、パーソナルコンピュータ、無線センサ、ホットスポットもしくはＭｉ−Ｆｉデバイス、モノのインターネット（ＩｏＴ）デバイス、時計もしくは他の装着可能なもの、頭部搭載型ディスプレイ（ＨＭＤ）、乗物、ドローン、医用デバイスおよび応用（例えば、遠隔手術）、産業用デバイスおよび応用（例えば、産業および／または自動化処理チェーン状況で動作するロボットおよび／または他の無線デバイス）、家庭用電子デバイス、商用および／または産業用無線ネットワークで動作するデバイスなどを含むことができる。ＷＴＲＵ１０２ａ、１０２ｂ、１０２ｃ、および１０２ｄのいずれも、相互に交換可能にＵＥと呼ぶことができる。
【００１９】
通信システム１００はまた、基地局１１４ａおよび／または基地局１１４ｂを含むことができる。基地局１１４ａ、１１４ｂのそれぞれは、ＣＮ１０６／１１５、インターネット１１０、および／または他のネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意のタイプのデバイスとすることができる。例として、基地局１１４ａ、１１４ｂは、送受信機基地局（ＢＴＳ）、ノードＢ、ｅＮｏｄｅＢ、ホームノードＢ、ホームｅＮｏｄｅＢ、ｇＮＢ、ＮＲノードＢ、サイトコントローラ、アクセスポイント（ＡＰ）、無線ルータ、および同様のものとすることができる。基地局１１４ａ、１１４ｂが、それぞれ、単一の要素として示されているが、基地局１１４ａ、１１４ｂは、任意の数の相互接続された基地局および／またはネットワーク要素を含み得ることが理解されよう。
【００２０】
基地局１１４ａは、ＲＡＮ１０４／１１３の一部とすることができ、それはまた、基地局制御装置（ＢＳＣ）、無線ネットワーク制御装置（ＲＮＣ）、中継ノードなどの他の基地局および／またはネットワーク要素（図示せず）を含むことができる。基地局１１４ａおよび／または基地局１１４ｂは、セル（図示せず）と呼ばれ得る１つまたは複数のキャリア周波数で無線信号を送信および／または受信するように構成され得る。これらの周波数は、認可スペクトル、無認可スペクトル、または認可および無認可スペクトルの組合せとすることができる。セルは、時間経過に対して比較的固定され得る、または変化し得る特定の地理学的エリアに対して無線サービスを行うための通達範囲を提供することができる。セルは、セルセクタへとさらに分割され得る。例えば、基地局１１４ａに関連付けられたセルは、３つのセクタに分割することができる。したがって、一実施形態では、基地局１１４ａは、３つの送受信機、すなわち、セルの各セクタに対して１つを含むことができる。実施形態では、基地局１１４ａは、多入力多出力（ＭＩＭＯ）技術を使用することができ、またセルの各セクタに対して複数の送受信機を利用することができる。例えば、望ましい空間方向において、信号を送信および／または受信するために、ビーム形成を使用することができる。
【００２１】
基地局１１４ａ、１１４ｂは、無線インターフェース１１６を介して、ＷＴＲＵ１０２ａ、１０２ｂ、１０２ｃ、１０２ｄの１つまたは複数のものと通信することができ、それは、任意の適切な無線通信リンクとすることができる（例えば、無線周波数（ＲＦ）、マイクロ波、センチメートル波、マイクロメートル波、赤外線（ＩＲ）、紫外線（ＵＶ）、可視光など）。無線インターフェース１１６は、任意の適切な無線アクセス技術（ＲＡＴ）を用いて確立することができる。
【００２２】
より具体的には、上記のように、通信システム１００は、複数のアクセスシステムとすることができ、またＣＤＭＡ、ＴＤＭＡ、ＦＤＭＡ、ＯＦＤＭＡ、ＳＣ−ＦＤＭＡ、および同様のものなど、１つまたは複数のチャネルアクセス方式を使用することができる。例えば、ＲＡＮ１０４／１１３における基地局１１４ａ、およびＷＴＲＵ１０２ａ、１０２ｂ、１０２ｃは、広帯域ＣＤＭＡ（ＷＣＤＭＡ）を用いて無線インターフェース１１５／１１６／１１７を確立できるユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）および／または高速ＵＬパケットアクセス（ＨＳＵＰＡ）を含むことができる。
【００２３】
実施形態では、基地局１１４ａおよびＷＴＲＵ１０２ａ、１０２ｂ、１０２ｃは、進化型ＵＭＴＳ地上無線アクセス（Ｅ−ＵＴＲＡ）などの無線技術を実施することができ、それは、ロングタームエボリューション（ＬＴＥ）、および／またはＬＴＥアドバンスト（ＬＴＥ−Ａ）、および／またはＬＴＥアドバンストプロ（ＬＴＥ−Ａ  Ｐｒｏ）を用いて、無線インターフェース１１６を確立することができる。
【００２４】
実施形態では、基地局１１４ａおよびＷＴＲＵ１０２ａ、１０２ｂ、１０２ｃは、新無線（ＮＲ）を用いる無線インターフェース１１６を確立できるＮＲ無線アクセスなどの無線技術を実施することができる。
【００２５】
実施形態では、基地局１１４ａおよびＷＴＲＵ１０２ａ、１０２ｂ、１０２ｃは、複数の無線アクセス技術を実施することができる。例えば、基地局１１４ａおよびＷＴＲＵ１０２ａ、１０２ｂ、１０２ｃは、例えば、二重接続（ＤＣ）原理を用いて、ＬＴＥ無線アクセス、およびＮＲ無線アクセスを共に実施することができる。したがって、ＷＴＲＵ１０２ａ、１０２ｂ、１０２ｃにより利用される無線インターフェースは、複数タイプの無線アクセス技術により、かつ／または複数タイプの基地局（例えば、ｅＮＢおよびｇＮＢ）との間で送られる送信により特徴付けることができる。
【００２６】
他の実施形態では、基地局１１４ａおよびＷＴＲＵ１０２ａ、１０２ｂ、１０２ｃは、ＩＥＥＥ８０２．１１（すなわち、無線の忠実度（Wireless Fidelity）（ＷｉＦｉ）、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、グローバルシステムフォーモバイル通信（ＧＳＭ）、ＧＳＭエボリューション拡張データレート（ＥＤＧＥ）、ＧＳＭ  ＥＤＧＥ（ＧＥＲＡＮ）、および同様のものなどの無線技術を実施することができる。
【００２７】
図１Ａの基地局１１４ｂは、例えば、無線ルータ、ホームノードＢ、ホームｅＮｏｄｅＢ、またはアクセスポイントとすることができ、また職場、家庭、乗物、キャンパス、産業施設、空中回廊（例えば、ドローンで使用される）、車道、および同様の場所など、局所化されたエリアにおける無線接続を容易にするために任意の適切なＲＡＴを利用することができる。一実施形態では、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線技術を実施することができる。実施形態では、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線技術を実施することができる。さらに別の実施形態では、基地局１１４ｂおよびＷＴＲＵ１０２ｃ、１０２ｄは、ピコセルまたはフェムトセルを確立するために、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することができる。図１Ａで示されるように、基地局１１４ｂは、インターネット１１０への直接接続を有することができる。したがって、基地局１１４ｂは、ＣＮ１０６／１１５を介してインターネット１１０にアクセスする必要のないこともあり得る。
【００２８】
ＲＡＮ１０４／１１３は、ＣＮ１０６／１１５と通信することができ、それは、ＷＴＲＵ１０２ａ、１０２ｂ、１０２ｃ、１０２ｄの１つまたは複数のものに対して、音声、データ、アプリケーション、および／またはボイスオーバインターネットプロトコル（ＶｏＩＰ）サービスを提供するように構成された任意のタイプのネットワークとすることができる。データは、異なるスループット要件、レイテンシ要件、誤り許容要件、信頼性要件、データスループット要件、移動性要件、および同様のものなど、様々なサービス品質（ＱｏＳ）要件を有することがあり得る。ＣＮ１０６／１１５は、呼制御、課金サービス、モバイル位置ベースサービス、プリペイドコーリング、インターネット接続、ビデオ配信などを提供し、かつ／またはユーザ認証などの高水準のセキュリティ機能を実施することができる。図１Ａで示されていないが、ＲＡＮ１０４／１１３および／またはＣＮ１０６／１１５は、ＲＡＮ１０４／１１３と同じＲＡＴ、または異なるＲＡＴを使用する他のＲＡＮと直接または間接的に通信できることが理解されよう。例えば、ＮＲ無線技術を利用することのできるＲＡＮ１０４／１１３に接続されるのに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を使用する別のＲＡＮ（図示せず）と通信することもできる。
【００２９】
ＣＮ１０６／１１５はまた、ＰＳＴＮ１０８、インターネット１１０、および／または他のネットワーク１１２にアクセスするための、ＷＴＲＵ１０２ａ、１０２ｂ、１０２ｃ、１０２ｄに対するゲートウェイとして働くことができる。ＰＳＴＮ１０８は、基本電話サービス（ＰＯＴＳ）を提供する回線交換電話網を含むことができる。インターネット１１０は、ＴＣＰ／ＩＰインターネットプロトコル群における伝送制御プロトコル（ＴＣＰ）、ユーザデータグラムプロトコル（ＵＤＰ）、および／またはインターネットプロトコル（ＩＰ）などの共通の通信プロトコルを使用する相互接続されたコンピュータネットワークおよびデバイスの大域システムを含むことができる。ネットワーク１１２は、他のサービスプロバイダにより所有され、かつ／または運営される有線および／または無線通信ネットワークを含むことができる。例えば、ネットワーク１１２は、ＲＡＮ１０４／１１３と同じＲＡＴ、または異なるＲＡＴを使用できる１つまたは複数のＲＡＮに接続された別のＣＮを含むことができる。
【００３０】
通信システム１００におけるＷＴＲＵ１０２ａ、１０２ｂ、１０２ｃ、１０２ｄのいくつか、またはすべては、マルチモード機能を含むことができる（例えば、ＷＴＲＵ１０２ａ、１０２ｂ、１０２ｃ、１０２ｄは、様々な無線リンクを介して、様々な無線ネットワークと通信するための複数の送受信機を含むことができる）。例えば、図１Ａで示されるＷＴＲＵ１０２ｃは、セルラベースの無線技術を使用できる基地局１１４ａと、かつＩＥＥＥ８０２無線技術を使用できる基地局１１４ｂと通信するように構成することができる。
【００３１】
図１Ｂは、例示的なＷＴＲＵ１０２を示すシステム図である。図１Ｂで示されるように、ＷＴＲＵ１０２は、いくつかある中で特に、プロセッサ１１８、送受信機１２０、送信／受信素子１２２、スピーカ／マイクロフォン１２４、キーパッド１２６、ディスプレイ／タッチパッド１２８、取外し不能メモリ１３０、取外し可能メモリ１３２、電源１３４、全地球測位システム（ＧＰＳ）チップセット１３６、および／または他の周辺装置１３８を含むことができる。ＷＴＲＵ１０２は、前述の要素の任意の下位の組合せを含むことができるが、なお実施形態との一貫性を有していることが理解されよう。
【００３２】
プロセッサ１１８は、汎用プロセッサ、専用プロセッサ、従来のプロセッサ、デジタル信号プロセッサ（ＤＳＰ）、複数のマイクロプロセッサ、ＤＣＰコアと関連付けられた１つまたは複数のマイクロプロセッサ、コントローラ、マイクロコントローラ、特定用途向け集積回路（ＡＳＩＣ）、書替え可能ゲートアレイ（ＦＰＧＡ）回路、任意の他のタイプの集積回路（ＩＣ）、状態機械、および同様のものとすることができる。プロセッサ１１８は、信号符号化、データ処理、電力制御、入力／出力処理、および／またはＷＴＲＵ１０２を無線環境で動作できるようにする任意の他の機能を実施することができる。プロセッサ１１８は、送受信機１２０に結合され、送受信機１２０は、送信／受信素子１２２に結合され得る。図１Ｂは、プロセッサ１１８と送受信機１２０とを別々の構成要素として示しているが、プロセッサ１１８および送受信機１２０は、電子パッケージまたはチップにおいて共に一体化され得ることが理解されよう。
【００３３】
送信／受信素子１２２は、無線インターフェース１１６を介して、基地局（例えば、基地局１１４ａ）に信号を送信する、または信号を受信するように構成され得る。例えば、一実施形態では、送信／受信素子１２２は、ＲＦ信号を送信および／または受信するように構成されたアンテナとすることができる。実施形態では、送信／受信素子１２２は、例えば、ＩＲ、ＵＶ、または可視光信号を送信および／または受信するように構成された発光体／検出器とすることができる。さらに別の実施形態では、送信／受信素子１２２は、ＲＦおよび光信号を共に送信および／または受信するように構成することができる。送信／受信素子１２２は、無線信号の任意の組合せを送信および／または受信するように構成できることが理解されよう。
【００３４】
送信／受信素子１２２が、図１Ｂで単一の要素として示されているが、ＷＴＲＵ１０２は、任意の数の送信／受信素子１２２を含むことができる。より具体的には、ＷＴＲＵ１０２は、ＭＩＭＯ技術を使用することができる。したがって、一実施形態では、ＷＴＲＵ１０２は、無線インターフェース１１６を介して、無線信号を送信および受信するために、２つ以上の送信／受信素子１２２（例えば、複数のアンテナ）を含むことができる。
【００３５】
送受信機１２０は、送信／受信素子１２２により送信される信号を変調し、かつ送信／受信素子１２２により受信される信号を復調するように構成され得る。前述のように、ＷＴＲＵ１０２は、マルチモード機能を有することができる。したがって、送受信機１２０は、ＷＴＲＵ１０２が、例えば、ＮＲおよびＩＥＥＥ８０２．１１などの複数のＲＡＴにより通信できるようにするための複数の送受信機を含むことができる。
【００３６】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニット、または有機発光ダイオード（ＯＬＥＤ）ディスプレイユニット）に結合することができ、かつそこからユーザ入力データを受信することができる。プロセッサ１１８はまた、ユーザデータを、スピーカ／マイクロフォン１２４、キーパッド１２６、および／またはディスプレイ／タッチパッド１２８に出力することができる。加えて、プロセッサ１１８は、取外し不能メモリ１３０、および／または取外し可能メモリ１３２など、任意のタイプの適切なメモリからの情報にアクセスし、かつデータをそこに記憶することができる。取外し不能メモリ１３０は、ランダムアクセスメモリ（ＲＡＭ）、読出し専用メモリ（ＲＯＭ）、ハードディスク、または任意の他のタイプのメモリ記憶デバイスを含むことができる。取外し可能メモリ１３２は、加入者識別モジュール（ＳＩＭ）カード、メモリスティック、セキュアデジタル（ＳＤ）メモリカード、および同様のものを含むことができる。他の実施形態では、プロセッサ１１８は、サーバまたは家庭用コンピュータ（図示せず）上など、ＷＴＲＵ１０２上に物理的に位置していないメモリからの情報にアクセスし、かつ／またはそこにデータを記憶することができる。
【００３７】
プロセッサ１１８は、電源１３４から電力を受け取ることができ、またＷＴＲＵ１０２における他の構成要素に電力を配布し、かつ／または制御するように構成され得る。電源１３４は、ＷＴＲＵ１０２に電力を供給するための任意の適切なデバイスとすることができる。例えば、電源１３４は、１つまたは複数の乾電池（例えば、ニッケルカドミウム（ＮｉＣｄ）、ニッケル亜鉛（ＮｉＺｎ）ニッケル水素（ＮｉＭＨ）、リチウムイオン（Ｌｉ−ｉｏｎ）など）、太陽電池、燃料電池、および同様のものを含むことができる。
【００３８】
プロセッサ１１８はまた、ＷＴＲＵ１０２の現在位置に関する位置情報（例えば、経度および緯度）を提供するように構成され得るＧＰＳチップセット１３６に結合することができる。ＧＰＳチップセット１３６からの情報に加えて、またはそれに代えて、ＷＴＲＵ１０２は、基地局（例えば、基地局１１４ａ、１１４ｂ）から無線インターフェース１１６を介して位置情報を受け取り、かつ／または２つ以上の近傍の基地局から受信される信号のタイミングに基づいて、その位置を決定することができる。ＷＴＲＵ１０２は、実施形態との一貫性を有しながら、任意の適切な位置決定法により位置情報を取得できることが理解されよう。
【００３９】
プロセッサ１１８は、さらなる特徴、機能性、および／または有線もしくは無線接続性を提供する１つまたは複数のソフトウェアおよび／またはハードウェアモジュールを含むことのできる他の周辺装置１３８にさらに結合され得る。例えば、周辺装置１３８は、加速度計、電子コンパス、衛星送受信機、デジタルカメラ（写真および／またはビデオ用）、ユニバーサルシリアルバス（ＵＳＢ）ポート、振動デバイス、テレビジョン送受信機、手を使用しないヘッドセット、Ｂｌｕｅｔｏｏｔｈ（登録商標）モジュール、周波数変調（ＦＭ）無線ユニット、デジタルミュージックプレーヤ、メディアプレーヤ、ビデオゲームプレーヤモジュール、インターネットブラウザ、仮想現実および／または拡張現実感（ＶＲ／ＡＲ）デバイス、活動量計（activity tracker）、および同様のものを含むことができる。周辺装置１３８は、１つまたは複数のセンサを含むことができ、センサは、ジャイロスコープ、加速度計、ホール効果センサ、磁力計、方向センサ、近接センサ、温度センサ、時間センサ、ジオロケーションセンサ、高度計、光センサ、タッチセンサ、気圧計、ジェスチャセンサ、生物測定センサ、および／または湿度センサのうちの１つまたは複数のものとすることができる。
【００４０】
ＷＴＲＵ１０２は、全二重無線を含むことができ、その場合、信号（例えば、ＵＬ（例えば、送信用）とダウンリンク（例えば、受信用）の両方に対する特定のサブフレームに関連付けられた）のいくつか、またはすべての送信および受信は、同時であり、かつ／または同じタイミングで行うことができる。全二重無線は、干渉管理ユニットを含み、ハードウェア（例えば、チョーク）、またはプロセッサ（例えば、別個のプロセッサ（図示せず）もしくはプロセッサ１１８による）を介する信号処理によって自己干渉を低減する、かつ／または実質的になくすことができる。実施形態では、ＷＲＴＵ１０２は、（例えば、ＵＬ（例えば、送信用）またはダウンリンク（例えば、受信用）に対する特定のサブフレームに関連付けられた）信号のいくつか、またはすべてを送信および受信するための半二重無線を含むことができる。
【００４１】
図１Ｃは、実施形態によるＲＡＮ１０４およびＣＮ１０６を示すシステム図である。上記のように、ＲＡＮ１０４は、無線インターフェース１１６を介してＷＴＲＵ１０２ａ、１０２ｂ、１０２ｃと通信するために、Ｅ−ＵＴＲＡ無線技術を使用することができる。ＲＡＮ１０４はまた、ＣＮ１０６と通信することができる。
【００４２】
ＲＡＮ１０４は、ｅＮｏｄｅＢ１６０ａ、１６０ｂ、１６０ｃを含むことができるが、ＲＡＮ１０４は、実施形態との一貫性を維持しながら任意の数のｅＮｏｄｅＢを含み得ることが理解されよう。ｅＮｏｄｅＢ１６０ａ、１６０ｂ、１６０ｃはそれぞれ、無線インターフェース１１６を介して、ＷＴＲＵ１０２ａ、１０２ｂ、１０２ｃと通信するための１つまたは複数の送受信機を含むことができる。一実施形態では、ｅＮｏｄｅＢ１６０ａ、１６０ｂ、１６０ｃは、ＭＩＭＯ技術を実施することができる。したがって、例えば、ｅＮｏｄｅＢ１６０ａは、複数のアンテナを使用して、ＷＴＲＵ１０２ａに無線信号を送信し、かつ／またはそこから無線信号を受信することができる。
【００４３】
ｅＮｏｄｅＢ１６０ａ、１６０ｂ、１６０ｃのそれぞれは、特定のセル（図示せず）に関連付けることができ、また無線リソース管理決定、ハンドオーバ決定、ＵＬおよび／またはＤＬにおけるユーザのスケジューリング、および同様のものを処理するように構成され得る。図１Ｃで示されるように、ｅＮｏｄｅＢ１６０ａ、１６０ｂ、１６０ｃは、Ｘ２インターフェースを介して互いに通信することができる。
【００４４】
図１Ｃで示されるＣＮ１０６は、モビリティ管理エンティティ（ＭＭＥ）１６２、サービングゲートウェイ（ＳＧＷ）１６４、およびパケットデータネットワーク（ＰＤＮ）ゲートウェイ（またはＰＧＷ）１６６を含むことができる。前述の要素のそれぞれは、ＣＮ１０６の一部として示されているが、これらの要素のいずれも、ＣＮ運営者以外のエンティティによって所有され、かつ／または運営され得ることが理解されよう。
【００４５】
ＭＭＥ１６２は、Ｓ１インターフェースを介して、ＲＡＮ１０４におけるｅＮｏｄｅＢ１６０ａ、１６０ｂ、１６０ｃのそれぞれに接続され、制御ノードとして働くことができる。例えば、ＭＭＥ１６２は、ＷＴＲＵ１０２ａ、１０２ｂ、１０２ｃのユーザを認証すること、ベアラの活動化／非活動化、ＷＴＲＵ１０２ａ、１０２ｂ、１０２ｃの初期アタッチ中に特定のサービングゲートウェイを選択すること、および同様のものを扱うことができる。ＭＭＥ１６２は、ＲＡＮ１０４と、ＧＳＭおよび／またはＷＣＤＭＡなど、他の無線技術を使用する他のＲＡＮ（図示せず）との間を切り換えるための制御プレーン機能を提供することができる。
【００４６】
ＳＧＷ１６４は、Ｓ１インターフェースを介して、ＲＡＮ１０４におけるｅＮｏｄｅＢ１６０ａ、１６０ｂ、１６０ｃのそれぞれに接続され得る。ＳＧＷ１６４は、概して、ＷＴＲＵ１０２ａ、１０２ｂ、１０２ｃとの間で、ユーザデータパケットを経路指定し、かつ転送することができる。ＳＧＷ１６４は、ｅＮｏｄｅＢ間のハンドオーバ中におけるユーザプレーンのアンカリング、ＤＬデータがＷＴＲＵ１０２ａ、１０２ｂ、１０２ｃに利用可能になったとき、ページングをトリガすること、ＷＴＲＵ１０２ａ、１０２ｂ、１０２ｃのコンテキストを管理し、かつ記憶すること、および同様のものなど、他の機能を実施することができる。
【００４７】
ＳＧＷ１６４は、ＰＧＷ１６６に接続することができ、それは、ＷＴＲＵ１０２ａ、１０２ｂ、１０２ｃにインターネット１１０などのパケット交換ネットワークへのアクセスを提供して、ＷＴＲＵ１０２ａ、１０２ｂ、１０２ｃとＩＰ対応デバイスとの間の通信を容易にすることができる。
【００４８】
ＣＮ１０６は、他のネットワークとの通信を容易にすることができる。例えば、ＣＮ１０６は、ＷＴＲＵ１０２ａ、１０２ｂ、１０２ｃに、ＰＳＴＮ１０８などの回路交換ネットワークへのアクセスを提供して、ＷＴＲＵ１０２ａ、１０２ｂ、１０２ｃと、従来の陸線通信デバイスとの間の通信を容易にすることができる。例えば、ＣＮ１０６は、ＣＮ１０６とＰＳＴＮ１０８の間のインターフェースとして働くＩＰゲートウェイ（例えば、ＩＰマルチメディアサブシステム（ＩＭＳ）サーバ）を含むことができる、またはそれと通信することができる。加えて、ＣＮ１０６は、ＷＴＲＵ１０２ａ、１０２ｂ、１０２ｃに、他のネットワーク１１２へのアクセスを提供することができ、それは、他のサービスプロバイダにより所有され、かつ／または運営される他の有線および／または無線通信ネットワークを含むことができる。
【００４９】
図１Ａ〜図１Ｄにおいて、ＷＴＲＵは無線端末として述べられているが、いくつかの代表的な実施形態においては、このような端末は、通信ネットワークとの有線通信インターフェースを（例えば、一時的に、または恒久的に）使用できることが企図される。
【００５０】
代表的な実施形態では、他のネットワーク１１２は、ＷＬＡＮとすることができる。
【００５１】
インフラストラクチャ基本サービスセット（ＢＳＳ）モードにおけるＷＬＡＮは、ＢＳＳに対するアクセスポイント（ＡＰ）と、ＡＰに関連付けられた１つまたは複数のステーション（ＳＴＡ）とを有することができる。ＡＰは、配信システム（ＤＳ）に対して、またはトラフィックをＢＳＳにかつ／もしくはＢＳＳから搬送する別タイプの有線／無線ネットワークに対して、アクセスできる、またはインターフェースを有することができる。ＢＳＳの外側から生じたＳＴＡへのトラフィックは、ＡＰを通して到来することができ、またＳＴＡに送達され得る。ＢＳＳの外側の宛先へのＳＴＡから生じたトラフィックは、ＡＰに送られて、各宛先へ送達され得る。ＢＳＳ内のＳＴＡ間のトラフィックは、例えば、ＡＰを通して送ることができ、その場合、ソースＳＴＡは、トラフィックをＡＰに送ることができ、またＡＰは、トラフィックを宛先ＳＴＡに送達することができる。ＢＳＳ内のＳＴＡ間のトラフィックは、ピアツーピアトラフィックであると見なされる、かつ／またはそのように呼ぶことができる。ピアツーピアトラフィックは、ダイレクトリンク設定（ＤＬＳ）を用いてソースと宛先ＳＴＡの間で（例えば、その間で直接）送ることができる。いくつかの代表的な実施形態では、ＤＬＳは、８０２．１１ｅ  ＤＬＳ、または８０２．１１ｚトンネルＤＬＳ（ＴＤＬＳ）を用いることができる。独立ＢＳＳ（ＩＢＳＳ）モードを用いるＷＬＡＮは、ＡＰを有しないこともあり、またＩＢＳＳ内の、またはＩＢＳＳを用いるＳＴＡ（例えば、ＳＴＡのすべて）は、互いに直接通信することができる。通信のＩＢＳＳモードは、本明細書で、通信の「アドホック」モードと呼ぶこともある。
【００５２】
８０２．１１ａｃインフラストラクチャ動作モード、または同様の動作モードを使用するとき、ＡＰは、プライマリチャネルなどの固定チャネルでビーコンを送信することができる。プライマリチャネルは、固定幅（例えば、２０ＭＨｚの広さの帯域幅）、またはシグナリングを介して動的に設定される幅とすることができる。プライマリチャネルは、ＢＳＳの動作チャネルとすることができ、またＡＰとの接続を確立するためにＳＴＡによって使用され得る。いくつかの代表的な実施形態では、例えば、８０２．１１システムにおいて、衝突回避を備えたキャリア感知多重アクセス（ＣＳＭＡ／ＣＡ）を実施することができる。ＣＳＭＡ／ＣＡの場合、ＡＰを含むＳＴＡ（例えば、あらゆるＳＴＡ）は、プライマリチャネルを感知することができる。特定のＳＴＡにより、プライマリチャネルが、ビジーであると感知／検出される、かつ／または決定された場合、特定のＳＴＡは、後退することになり得る。１つのＳＴＡ（例えば、１つのステーションだけ）が、所与のＢＳＳにおける任意の所与の時間に送信することができる。
【００５３】
高スループット（ＨＴ）ＳＴＡは、通信のために４０ＭＨｚ幅チャネルを使用することができるが、それは、例えば、プライマリ２０ＭＨｚチャネルを、隣接または非隣接の２０ＭＨｚチャネルと組み合わせることにより、４０ＭＨｚ幅チャネルを形成する。
【００５４】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚ、および／または８０ＭＨｚチャネルは、隣接する２０ＭＨｚチャネルを組み合わせることにより形成することができる。１６０ＭＨｚチャネルは、８個の隣接する２０ＭＨｚチャネルを組み合わせることにより、または２つの非隣接の８０ＭＨｚを組み合わせることにより形成することができるが、それは、８０＋８０構成と呼ぶことができる。８０＋８０構成の場合、チャネルエンコーディングの後、データを、２つのストリームへと分割できるセグメントパーサを通すことができる。逆高速フーリエ変換（ＩＦＦＴ）処理、および時間ドメイン処理を、各ストリームに対して別々に行うことができる。ストリームは、２つの８０ＭＨｚチャネルにマップすることができ、またデータは、送信ＳＴＡにより送信され得る。受信ＳＴＡの受信機において、８０＋８０構成に対する上記で述べた動作は、逆にすることができ、また組み合わされたデータを、メディアアクセス制御（ＭＡＣ）に送ることができる。
【００５５】
サブ１ＧＨｚ動作モードは、８０２．１１ａｆおよび８０２．１１ａｈによりサポートされる。チャネル動作帯域幅、およびキャリアは、８０２．１１ｎおよび８０２．１１ａｃで使用されるものに対して、８０２．１１ａｆおよび８０２．１１ａｈにおいて低減される。また８０２．１１ａｆは、ＴＶホワイトスペース（ＴＶＷＳ）スペクトルにおける５ＭＨｚ、１０ＭＨｚ、および２０ＭＨｚ帯域幅をサポートし、また８０２．１１ａｈは、非ＴＶＷＳスペクトルを用いて１ＭＨｚ、２ＭＨｚ、４ＭＨｚ、８ＭＨｚ、および１６ＭＨｚ帯域幅をサポートする。代表的な実施形態によれば、８０２．１１ａｈは、マクロカバレッジエリアにおけるＭＴＣデバイスなど、メータタイプ制御／マシンタイプ通信をサポートすることができる。ＭＴＣデバイスは、例えば、いくつかの、かつ／または限られた帯域幅に対するサポート（例えば、それに対するサポートだけ）を含む限定された機能など、いくつかの機能を有することができる。ＭＴＣデバイスは、（例えば、非常に長い電池寿命を維持するために）閾値を超える電池寿命を有する電池を含むことができる。
【００５６】
８０２．１１ｎ、８０２．１１ａｃ、８０２．１１ａｆ、および８０２．１１ａｈなど、複数のチャネル、およびチャネル帯域幅をサポートできるＷＬＡＮシステムは、プライマリチャネルと指定できるチャネルを含む。プライマリチャネルは、ＢＳＳにおけるすべてのＳＴＡによりサポートされる最大の共通動作帯域幅に等しい帯域幅を有することができる。プライマリチャネルの帯域幅は、ＢＳＳにおいて動作するすべてのＳＴＡの中から、最小の帯域幅動作モードをサポートするＳＴＡにより設定され、かつ／または制限され得る。８０２．１１ａｈの例では、プライマリチャネルは、ＡＰ、およびＢＳＳにおける他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、サポートするだけ）ＳＴＡ（例えば、ＭＴＣタイプデバイス）に対する１ＭＨｚ幅とすることができる。キャリア感知および／またはネットワーク割当てベクトル（ＮＡＶ）設定は、プライマリチャネルの状態に依存することがある。例えば、ＳＴＡ（１ＭＨｚ動作モードだけをサポートする）がＡＰに送信することに起因して、プライマリチャネルがビジーである場合、利用可能な周波数帯域全体は、周波数帯域の大部分がアイドル状態のままであり、かつ利用可能であるとしても、ビジーであると見なされ得る。
【００５７】
米国では、８０２．１１ａｈにより使用され得る利用可能な周波数帯は、９０２ＭＨｚから９２８ＭＨｚである。韓国では、利用可能な周波数帯は、９１７．５ＭＨｚから９２３．５ＭＨｚである。日本では、利用可能な周波数帯は、９１６．５ＭＨｚから９２７．５ＭＨｚである。８０２．１１ａｈに利用可能な全体の帯域幅は、国の法規に応じて６ＭＨｚから２６ＭＨｚである。
【００５８】
図１Ｄは、実施形態によるＲＡＮ１１３およびＣＮ１１５を示すシステム図である。上記のように、ＲＡＮ１１３は、ＮＲ無線技術を使用して、無線インターフェース１１６を介してＷＴＲＵ１０２ａ、１０２ｂ、１０２ｃと通信することができる。ＲＡＮ１１３はまた、ＣＮ１１５と通信することができる。
【００５９】
ＲＡＮ１１３は、ｇＮＢ１８０ａ、１８０ｂ、１８０ｃを含むことができるが、実施形態との一貫性を有しながら、ＲＡＮ１１３は、任意の数のｇＮＢを含み得ることが理解されよう。ｇＮＢ１８０ａ、１８０ｂ、１８０ｃは、それぞれ、無線インターフェース１１６を介して、ＷＴＲＵ１０２ａ、１０２ｂ、１０２ｃと通信するための１つまたは複数の送受信機を含むことができる。一実施形態では、ｇＮＢ１８０ａ、１８０ｂ、１８０ｃは、ＭＩＭＯ技術を実施することができる。例えば、ｇＮＢ１８０ａ、１８０ｂは、ビーム形成を利用して、ｇＮＢ１８０ａ、１８０ｂ、１８０ｃに信号を送信し、かつ／または信号をそこから受信することができる。したがって、例えば、ｇＮＢ１８０ａは、複数のアンテナを使用して、ＷＴＲＵ１０２ａに無線信号を送信し、かつ／またはそこから無線信号を受信することができる。実施形態では、ｇＮＢ１８０ａ、１８０ｂ、１８０ｃは、キャリア集約技術を実施することができる。例えば、ｇＮＢ１８０ａは、ＷＴＲＵ１０２ａ（図示せず）に複数のコンポーネントキャリアを送信することができる。これらのコンポーネントキャリアのサブセットは、無認可スペクトル上のものとすることができるが、残りのコンポーネントキャリアは、認可スペクトル上のものとすることができる。実施形態では、ｇＮＢ１８０ａ、１８０ｂ、１８０ｃは、複数基地局間協調送信（Coordinated Multi-Point）（ＣｏＭＰ）技術を実施することができる。例えば、ＷＴＲＵ１０２ａは、ｇＮＢ１８０ａおよびｇＮＢ１８０ｂ（および／またはｇＮＢ１８０ｃ）からの協調された送信を受信することができる。
【００６０】
ＷＴＲＵ１０２ａ、１０２ｂ、１０２ｃは、スケーラブルなニューメロロジに関連付けられた送信を用いて、ｇＮＢ１８０ａ、１８０ｂ、１８０ｃと通信することができる。例えば、ＯＦＤＭシンボル間隔、および／またはＯＦＤＭサブキャリア間隔は、異なる送信、異なるセル、および／または無線送信スペクトルの異なる部分に対して変化することができる。ＷＴＲＵ１０２ａ、１０２ｂ、１０２ｃは、様々な、もしくはスケーラブルな長さのサブフレーム、または送信時間間隔（ＴＴＩ）（例えば、様々な数のＯＦＤＭシンボルを含む、および／または様々な長さの絶対時間が続く）を用いて、ｇＮＢ１８０ａ、１８０ｂ、１８０ｃと通信することができる。
【００６１】
ｇＮＢ１８０ａ、１８０ｂ、１８０ｃは、スタンドアロン構成で、かつ／または非スタンドアロン構成で、ＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（例えば、ｅＮｏｄｅＢ１６０ａ、１６０ｂ、１６０ｃなど）にさらにアクセスすることなく、ｇＮＢ１８０ａ、１８０ｂ、１８０ｃと通信することができる。スタンドアロン構成では、ＷＴＲＵ１０２ａ、１０２ｂ、１０２ｃは、モビリティアンカーポイントとして、ｇＮＢ１８０ａ、１８０ｂ、１８０ｃのうちの１つまたは複数のものを利用することができる。スタンドアロン構成では、ＷＴＲＵ１０２ａ、１０２ｂ、１０２ｃは、無認可帯域における信号を用いてｇＮＢ１８０ａ、１８０ｂ、１８０ｃと通信することができる。非スタンドアロン構成では、ＷＴＲＵ１０２ａ、１０２ｂ、１０２ｃは、ｅＮｏｄｅＢ１６０ａ、１６０ｂ、１６０ｃなどの別のＲＡＮとも通信／接続しながら、ｇＮＢ１８０ａ、１８０ｂ、１８０ｃと通信／接続することができる。例えば、ＷＴＲＵ１０２ａ、１０２ｂ、１０２ｃは、ＤＣ原理を実施して、実質的に同時に、１つまたは複数のｇＮＢ１８０ａ、１８０ｂ、１８０ｃ、および１つまたは複数のｅＮｏｄｅＢ１６０ａ、１６０ｂ、１６０ｃと通信することができる。非スタンドアロン構成では、ｅＮｏｄｅＢ１６０ａ、１６０ｂ、１６０ｃは、ＷＴＲＵ１０２ａ、１０２ｂ、１０２ｃに対するモビリティアンカーとして働くことができ、またｇＮＢ１８０ａ、１８０ｂ、１８０ｃは、ＷＴＲＵ１０２ａ、１０２ｂ、１０２ｃをサービスするためにさらなる到達範囲および／またはスループットを提供することができる。
【００６２】
ｇＮＢ１８０ａ、１８０ｂ、１８０ｃのそれぞれは、特定のセル（図示せず）に関連付けることができ、また無線リソース管理決定、ハンドオーバ決定、ＵＬおよび／またはＤＬにおけるユーザのスケジューリング、ネットワークスライシングのサポート、二重接続、ＮＲとＥ−ＵＴＲＡとの間の相互接続、ユーザプレーン機能（ＵＰＦ）１８４ａ、１８４ｂに向けたユーザプレーンデータの経路指定、アクセスおよびモビリティ管理機能（ＡＭＦ）１８２ａ、１８２ｂに向けた制御プレーン情報の経路指定、および同様のものを処理するように構成され得る。図１Ｄで示されるように、ｇＮＢ１８０ａ、１８０ｂ、１８０ｃは、Ｘｎインターフェースを介して互いに通信することができる。
【００６３】
図１Ｄで示されるＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、およびおそらくデータネットワーク（ＤＮ）１８５ａ、１８５ｂを含むことができる。前述の要素のそれぞれは、ＣＮ１１５の一部として示されているが、これらの要素のいずれも、ＣＮ運営者以外のエンティティにより所有され、かつ／または運営され得ることが理解されよう。
【００６４】
ＡＭＦ１８２ａ、１８２ｂは、Ｎ２インターフェースを介して、ＲＡＮ１１３におけるｇＮＢ１８０ａ、１８０ｂ、１８０ｃのうちの１つまたは複数のものに接続され、かつ制御ノードとして働くことができる。例えば、ＡＭＦ１８２ａ、１８２ｂは、ＷＴＲＵ１０２ａ、１０２ｂ、１０２ｃのユーザを認証すること、ネットワークスライシングをサポートすること（例えば、様々な要件を有する様々なＰＤＵセッションを処理すること）、特定のＳＭＦ１８３ａ、１８３ｂを選択すること、登録エリアの管理、ＮＡＳシグナリングの終了、モビリティ管理、および同様のものを扱うことができる。ネットワークスライシングは、ＷＴＲＵ１０２ａ、１０２ｂ、１０２ｃで利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって使用することができる。例えば、様々なネットワークスライスが、超高信頼低遅延通信（ＵＲＬＬＣ）アクセスを利用するサービス、拡張大容量モバイルブロードバンド（ｅＭＢＢ）アクセスを利用するサービス、マシンタイプ通信（ＭＴＣ）アクセスに対するサービス、および／または同様のものなど、様々な使用例に対して確立され得る。ＡＭＦ１８２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術など他の無線技術を使用する他のＲＡＮ（図示せず）との間を切り換えるための制御プレーン機能を提供することができる。
【００６５】
ＳＭＦ１８３ａ、１８３ｂは、Ｎ１１インターフェースを介して、ＣＮ１１５におけるＡＭＦ１８２ａ、１８２ｂに接続され得る。ＳＭＦ１８３ａ、１８３ｂはまた、Ｎ４インターフェースを介して、ＣＮ１１５におけるＵＰＦ１８４ａ、１８４ｂに接続され得る。ＳＭＦ１８３ａ、１８３ｂは、ＵＰＦ１８４ａ、１８４ｂを選択し、制御することができ、またＵＰＦ１８４ａ、１８４ｂを通るトラフィックの経路指定を構成することができる。ＳＭＦ１８３ａ、１８３ｂは、ＷＴＲＵのＩＰアドレスを管理し、割り当てること、ＰＤＵセッションを管理すること、ポリシ施行およびＱｏＳを制御すること、ダウンリンクデータ通知を提供すること、および同様のものなど、他の機能を実施することができる。ＰＤＵセッションタイプは、ＩＰベース、非ＩＰベース、イーサネットベース、および同様のものとすることができる。
【００６６】
ＵＰＦ１８４ａ、１８４ｂは、Ｎ３インターフェースを介してＲＡＮ１１３におけるｇＮＢ１８０ａ、１８０ｂ、１８０ｃのうちの１つまたは複数のものに接続され得るが、それは、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることができる。ＵＰＦ１８４ａ、１８４ｂは、パケットを経路指定し、かつ転送すること、ユーザプレーンポリシを施行すること、マルチホームＰＤＵセッションをサポートすること、ユーザプレーンＱｏＳを処理すること、ダウンリンクパケットをバッファすること、モビリティアンカリングを提供すること、および同様のものなど、他の機能を実施することができる。
【００６７】
ＣＮ１１５は、他のネットワークとの通信を容易にすることができる。例えば、ＣＮ１１５は、ＣＮ１１５とＰＳＴＮ１０８との間のインターフェースとして働くＩＰゲートウェイ（例えば、ＩＰマルチメディアサブシステム（ＩＭＳ）サーバ）を含む、またはそれと通信することができる。さらに、ＣＮ１１５は、他のサービスプロバイダにより所有され、かつ／または運営される他の有線および／または無線ネットワークを含むことのできる他のネットワーク１１２へのアクセスを、ＷＴＲＵ１０２ａ、１０２ｂ、１０２ｃに提供することができる。一実施形態では、ＷＴＲＵ１０２ａ、１０２ｂ、１０２ｃは、ＵＰＦ１８４ａ、１８４ｂへのＮ３インターフェースにより、またＵＰＦ１８４ａ、１８４ｂとＤＮ１８５ａ、１８５ｂとの間のＮ６インターフェースにより、ＵＰＦ１８４ａ、１８４ｂを介してローカルデータネットワーク（ＤＮ）１８５ａ、１８５ｂに接続され得る。
【００６８】
図１Ａ〜図１Ｄの図、および図１Ａ〜図１Ｄの対応する記述において、ＷＴＲＵ１０２ａ〜ｄ、基地局１１４ａ〜ｂ、ｅＮｏｄｅＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書で述べられる任意の他のデバイスのうちの１つまたは複数のものに関して本明細書で述べられる機能のうちの１つまたは複数のもの、またはすべては、１つまたは複数のエミュレーションデバイス（図示せず）によって実施することができる。エミュレーションデバイスは、本明細書で述べられる機能のうちの１つまたは複数のもの、またはすべてをエミュレートするように構成された１つまたは複数のデバイスとすることができる。例えば、エミュレーションデバイスは、他のデバイスを試験するために、ならびに／またはネットワークおよび／またはＷＴＲＵ機能をシミュレートするために使用することができる。
【００６９】
エミュレーションデバイスは、実験室環境で、かつ／または運営者ネットワーク環境で他のデバイスの１つまたは複数の試験を実施するように設計され得る。例えば、１つまたは複数のエミュレーションデバイスは、１つまたは複数の、またはすべての機能を実施できるが、通信ネットワーク内の他のデバイスを試験するために、有線および／または無線通信ネットワークの一部として、完全に、または部分的に実施される、かつ／または展開される。１つまたは複数のエミュレーションデバイスは、１つまたは複数の、またはすべての機能を実施できるが、有線および／または無線通信ネットワークの一部として一時的に実施／展開される。エミュレーションデバイスは、試験を行うために別のデバイスに直接結合され得る、かつ／または空中を介する無線通信を用いて試験を実施できる。
【００７０】
１つまたは複数のエミュレーションデバイスは、１つまたは複数の、すべても含む機能を実施することができるが、有線および／または無線通信ネットワークの一部としては実施／展開されない。例えば、エミュレーションデバイスは、１つまたは複数の構成要素の試験を実施するために、試験用実験室、および／または展開されない（例えば、試験用の）有線および／または無線通信ネットワークにおける試験シナリオで利用され得る。１つまたは複数のエミュレーションデバイスは、試験装置とすることができる。データを送信および／または受信するために、直接ＲＦ結合、および／またはＲＦ回路（例えば、１つまたは複数のアンテナを含むことができる）を介する無線通信が、エミュレーションデバイスによって使用され得る。
【００７１】
新無線（ＮＲ）は、現在および将来のモバイル無線通信システムと動作可能にすることができる。ＮＲの使用例は、例えば、ｅＭＢＢ、超高信頼低遅延通信（ＵＲＬＬＣ）、および大規模マシンタイプ通信（ｍＭＴＣ）を含むことができる。ＮＲは、センチメートル波（ｃｍ波）、および／またはミリメートル波（ｍｍ波）周波数など、高い周波数帯域における送信をサポートすることができる。ｃｍ波および／またはｍｍ波周波数帯における動作は、例えば、高い経路損失およびシャドーイングを考慮すると、伝播に関連する課題を提示する可能性がある。
【００７２】
高信頼性サービスは、例えば、０．００１％の程度の、非常に低いブロック誤り率によってサポートされ得る。低い誤り率は、例えば、物理レイヤ制御情報（例えば、ハイブリッド自動再送要求肯定応答（ＨＡＲＱ−ＡＣＫ）、アップリンク許可、およびダウンリンク割当てなど）に対する高い信頼性を用いて達成することができる。例（例えば、ＨＡＲＱ−ＡＣＫに対する）では、ＮＡＣＫをＡＣＫと誤って解釈する０．１％のレベルの確率は、いくつかの（例えば、一般的な）モバイルブロードバンドサービスに対しては適切であり得るが、例えば、超信頼性のサービスには、大き過ぎる可能性がある（例えば、肯定応答（ＡＣＫ）に対する否定応答（ＮＡＣＫ）の誤解釈イベントは、トランスポートブロックの損失を生ずるおそれがあるため）。
【００７３】
ＷＴＲＵは、複数の同時送信を行うように構成することができる。ＮＲは、所与のＭＡＣエンティティに対する、かつ／または複数のＭＡＣエンティティに対する１つまたは複数のセルを含むことのできるＷＴＲＵ構成をサポートすることができる。１つのセル構成は、単一のセル動作を提供することができる。複数のセル構成は、例えば、ＮＲ  ＣＡ動作など、キャリア集約（ＣＡ）を提供することができる。複数のＭＡＣエンティティの構成は、ＮＲに対する二重接続（ＤＣ）（ＮＲ  ＤＣ）を含むことができる。複数のＭＡＣエンティティの構成は、ＬＴＥとＮＲの組合せを提供することができる（例えば、進化型ＵＭＴＳ地上無線アクセスネットワーク（Ｅ−ＵＴＲＡＮ）新無線二重接続（ＥＮ−ＤＣ））。ＮＲは、１つのダウンリンクキャリア、１つのアップリンクキャリア、および補助的なアップリンクキャリア（ＳＵＬ）で構成されたセルを含むＷＴＲＵ構成を提供することができる。ＮＲは、１つまたは複数の帯域幅部分（ＢＷＰ）で構成されたセルをサポートすることができる。ＢＷＰは、周波数位置（例えば、中心周波数および／または周波数帯域幅）、またはニューメロロジのうちの少なくとも一方により特徴付けることができる。
【００７４】
認可帯域におけるＥＮ−ＤＣ、ＮＲ  ＣＡ、およびＮＲ  ＤＣに関して、キャリアの様々な組合せ（例えば、異なる組合せ）は、ニューメロロジ、送信開始時間、または送信持続期間の１つまたは複数のものに関して、ＷＴＲＵに関連付けられた送信間で（または時間で少なくとも部分的に重複し得る送信間で）様々なタイミング関係（例えば、異なるタイミング関係）を導くことができる。例えば、構成されたコンポーネントキャリア（ダウンリンク（ＤＬ）および／またはアップリンク（ＵＬ））のそれぞれ、および／またはＷＴＲＵに対する帯域幅部分（ＢＷＰ）（ＤＬおよび／またはＵＬ）は、同じまたは異なるニューメロロジを有することができ、また異なるコンポーネントキャリア／ＢＷＰの間の重複する送信は、同じまたは異なる開始時間と、同じまたは異なる物理アップリンク共有チャネル（ＰＵＳＣＨ）／物理アップリンク制御チャネル（ＰＵＣＣＨ）送信持続期間とを有することができる。
【００７５】
例えば、非同期送信の場合、かつ／またはＷＴＲＵに関連付けられた異なるアップリンク送信間で部分的に、かつ／または完全に重複する場合、タイミングおよび／スケジューリング側面が提供され得る。例では、異なる送信は、例えば、動的なスケジューリング情報に基づいて、異なるＨＡＲＱタイムラインで動作することができる。例えば、このようなスケジューリング情報は、動的に可変のスケジューリングに関する遅延コンポーネントを含むことができる。動的に可変のスケジューリングに関する遅延コンポーネントは、ダウンリンク制御情報（ＤＣＩ）により提供され得る。スケジューリングに関する遅延コンポーネントは、Ｋ１、Ｋ２、Ｎ１、またはＮ２の１つまたは複数のものを含むことができる。Ｋ１は、ダウンリンク（ＤＬ）データ（ＰＤＳＣＨ）受信と、アップリンク（ＵＬ）上のその対応するＡＣＫ送信との間の遅延とすることができる。Ｋ２は、ＤＬにおけるＵＬ許可の受信と、ＵＬデータ送信（例えば、ＰＵＳＣＨ送信）との間の遅延とすることができる。Ｎ１は、例えば、ＷＴＲＵから見た、ＮＲ−ＰＤＳＣＨ受信の最後から、対応するＡＣＫ／ＮＡＣＫ送信の最も早期に可能な開始までにＷＴＲＵの処理に使用されるＯＦＤＭシンボルの数とすることができる。Ｎ２は、例えば、ＷＴＲＵから見た、ＵＬ許可受信を含むＮＲ−ＰＤＣＣＨの最後から、対応するＮＲ−ＰＵＳＣＨ送信の最も早期に可能な開始までにＷＴＲＵの処理に使用されるＯＦＤＭシンボルの数とすることができる。
【００７６】
スケジューラは、例えば、送信電力パラメータ（例えば、アップリンク送信に関連付けられたもの）、および／または集約レベル（例えば、ダウンリンク送信に関連付けられたもの）を選択することにより、制御情報の誤り確率を調整することができる。非常に低い誤り率を達成することは、問題を含む可能性がある。
【００７７】
例では、非常に低い誤り率は、例えば、バースト性の干渉、および／または他のチャネル障害（例えば、ｍｍ波周波数における極度のシャドーイングなど）が存在する場合、送信技法を用いてパラメータ調整を行うことによって達成できない可能性がある。
【００７８】
このような技法が１つまたは複数のタイプの送信に適用されたとき、典型的な誤り率で動作するときよりも大幅に多くのリソース（時間、周波数、および／または電力）が消費され得るので、例えば、非常に低い誤り率で動作するとき、スペクトル効率およびユーザのスループットが、非常に低下するおそれがある。超信頼性送信と他の送信との間の区別された処理（例えば、リソース分離によるなど）は、例えば、超信頼性のトラフィックがバースト性のものであるとすると、効率において劣る可能性がある。
【００７９】
非常に低い誤り率（例えば、超信頼性サービス）を達成することができる。超信頼性の、また他の（例えば、非超信頼性の）モバイル広帯域データトラフィックを用いた効率的な動作を達成することができる（例えば、システムおよび／またはＷＴＲＵにおいて）。
【００８０】
アップリンク制御情報（ＵＣＩ）は、例えば、ＨＡＲＱフィードバック情報（例えば、ＨＡＲＱ−ＡＣＫ）、スケジューリング要求（ＳＲ）、および／またはチャネル状態情報（ＣＳＩ）を含むことができる。ＵＣＩは、アップリンク制御チャネル（例えば、物理アップリンク制御チャネル（ＰＵＣＣＨ））を介して、かつ／またはアップリンクデータチャネル（例えば、物理アップリンク共有チャネル（ＰＵＳＣＨ）を介して）送信することができる。ＵＣＩは、アップリンクデータを多重化して、または多重化せずに送信され得る。ＨＡＲＱフィードバック情報（例えば、ＨＡＲＱ−ＡＣＫ）は、トランスポートブロック、符号ブロック、および／または符号ブロックグループに関係することができる。
【００８１】
ダウンリンク制御情報（ＤＣＩ）は、ネットワークから受信され得る物理制御シグナリングを指すことができる（例えば、アップリンク許可、ダウンリンク割当て、電力制御コマンド、スロットフォーマットインジケータ、ＨＡＲＱ情報、以下同様のものなど）。ＤＣＩは、例えば、ダウンリンク制御チャネル（例えば、ＰＤＣＣＨ）を介して（例えば、共通の、もしくはＷＴＲＵ特有の探索空間内で、またはグループ共通の制御チャネルを介して（例えば、ＰＤＣＣＨ上で））送信され得る。ＰＤＣＣＨは、制御リソースセット（ＣＯＲＥＳＥＴ）のリソースにマップされ得る。ＷＴＲＵは、例えば、ＣＯＲＥＳＥＴ内の１つまたは複数の探索空間から、ＰＤＣＣＨの復号を試みることができる。ＷＴＲＵは、例えば、少なくとも１つのＣＯＲＥＳＥＴで構成することができる。
【００８２】
ＤＣＩダイバーシティを提供することができる。例では、ＤＣＩの送信信頼性は、例えば、時間、周波数、および／または空間ドメインで分離されたリソースを介して、複数のＤＣＩインスタンスを送信することにより高めることができる。複数のインスタンスは、短期間のフェージング、長期間のフェージング、および／または干渉に対するダイバーシティゲインを提供することができる。
【００８３】
ＤＣＩ（例えば、各ＤＣＩインスタンス）は、ダウンリンク物理制御チャネル（例えば、ＰＤＣＣＨ、グループ共通のＰＤＣＣＨ、ＰＨＩＣＨ、および以下同様のものなど）を介して送信することができる。インスタンスは、ＰＤＳＣＨを介して送信することができる（例えば、ＰＤＳＣＨ上のＤＣＩがサポートされ得るとき）。ＰＤＣＣＨ（例えば、各ＰＤＣＣＨ）は、上位レイヤにより構成され得るＣＯＲＥＳＥＴに基づいて受信することができる。構成は、１つまたは複数のパラメータを含むことができる。例えば、構成は、コンポーネントキャリアもしくはサービングセル、１つまたは複数の帯域幅部分（ＢＷＰ）、ＢＷＰ（例えば、各ＢＷＰ）内のリソースブロックのサブセット、スロットもしくはミニスロット内の時間シンボルのセット、サブキャリア間隔、サブフレーム内のスロットのサブセット、および／または１つまたは複数の参照信号（例えば、ＣＳＩ−ＲＳ）を含むことができる。１つまたは複数のパラメータの独立した構成は、時間、周波数、および／または空間におけるダイバーシティを提供することができる。例では、周波数ダイバーシティは、空間および／または時間ダイバーシティを（例えば、時間シンボルの異なるセット、および／または異なる参照信号を構成することにより）提供して、または提供せずに、（例えば、ＣＯＲＥＳＥＴ間で異なるコンポーネントキャリアまたはＢＷＰを構成することにより）提供することができる。
【００８４】
ＤＣＩダイバーシティは、構成可能にすることができる。例えば、ＤＣＩダイバーシティを活動化する、または非活動化することができる。ＤＣＩダイバーシティの活動化または非活動化は、例えば、ＭＡＣレイヤのシグナリング、または物理レイヤのシグナリングに基づくことができる。例では、ＷＴＲＵは、第１のＣＯＲＥＳＥＴに基づいて活動化コマンドを受信し、第２のＣＯＲＥＳＥＴ上の第２のＤＣＩインスタンスのモニタを開始することができる。ＷＴＲＵは、特定のＣＯＲＥＳＥＴ上のＤＣＩインスタンスのモニタに対する非活動化コマンドを受信することができる。
【００８５】
ＤＣＩダイバーシティを適用することができる。ＤＣＩインスタンス（例えば、各ＤＣＩインスタンス）のコンテンツを、以下のもの、すなわち、（ｉ）複数のＤＣＩインスタンスを介して送信された同じコンテンツ（例えば、反復）、（ｉｉ）複数のＤＣＩインスタンスを介して送信された同じコンテンツ（例えば、ブロックエンコーディング）、または（ｉｉｉ）コンテンツの性質、のうちの１つまたは複数のものに従って設定することができる。
【００８６】
例では、複数のＤＣＩインスタンスのそれぞれは、ＤＣＩの少なくとも１つのタイプまたはフォーマットに対して同じ情報ビットを含み、エンコードすることができる（例えば、ＰＵＳＣＨに対するＨＡＲＱ−ＡＣＫ、ＰＤＳＣＨ割当て、ＰＵＳＣＨ許可）。ＤＣＩは、インスタンス（例えば、単一のインスタンス）の受信から復号することができる（例えば、完全に復号可能である）。
【００８７】
例では、ＤＣＩは、例えば、ＤＣＩをＮブロックへとセグメント化し、かつＤＣＩをＤブロックへとエンコードすることにより、エンコードされ得る。例では、Ｄ個のＤＣＩインスタンスの少なくともＮ個の復号（例えば、受信機における）は、ＤＣＩの全体を復元するのに十分であり得る。例では、エンコーディングは、パリティ符号から構成することができる。
【００８８】
例では、ＤＣＩインスタンスは、以下のもの、すなわち、ＰＤＳＣＨを介する少なくとも１つのＤＬデータ送信に関連付けられた情報、またはＰＵＳＣＨを介する少なくとも１つのＵＬデータ送信に関連付けられた情報の１つまたは複数のものを含むことができる。
【００８９】
例では、ＷＴＲＵは、複数のＣＯＲＥＳＥＴ（例えば、２つのＣＯＲＥＳＥＴ）を介して、ＰＤＣＣＨをモニタするように構成することができる。ＷＴＲＵは、異なるキャリアまたは帯域幅部分上のＰＤＣＣＨをモニタすることができる。ＷＴＲＵは、例えば、複数のＤＣＩインスタンス（例えば、最高で２つのＤＣＩインスタンス）を受信することができる。例では、ＤＣＩインスタンスは、複数のキャリアで（例えば、各キャリアは、複数のＤＣＩの場合、１つのキャリア上で受信され得る）ＰＤＣＣＨを介してＷＴＲＵにより受信される同じ情報を含むことができる。ＤＣＩ（例えば、各ＤＣＩ）上の情報は、複数のキャリア（例えば、両方のキャリア）に対するＰＤＳＣＨ（またはＰＵＳＣＨ）割当て／許可を含むことができる。ＷＴＲＵは、例えば、ＤＣＩインスタンス（例えば、その１つ）の復号に成功できなかった場合であっても、複数のキャリア（例えば、両方のキャリア）上で、ＰＤＳＣＨを受信する、またはＰＵＳＣＨを送信することができる。図２の例で示されるように、例えば、ＤＣＩおよびデータは、ダイバーシティによって独立して保護され得る（例えば、保護される）ので、例えば、複数のＰＤＳＣＨ送信（例えば、両方のＰＤＳＣＨ送信）、またはＰＵＳＣＨ送信が、同じトランスポートブロックへとエンコードされ得るとき、非常に低いＢＬＥＲが、低レイテンシで達成され得る。図２で示されるように、ダウンリンクのコンポーネントキャリア１（ＤＬ  ＣＣ１）２０２上のＤＣＩ、およびダウンリンクのコンポーネントキャリア２（ＤＬ  ＣＣ２）２０４上のＤＣＩは、同じコンテンツを有することができる。例えば、ＤＣＩのそれぞれは、ＰＤＳＣＨ２０６およびＰＤＳＣＨ２０８に関連付けられた情報を含むことができる。
【００９０】
ＤＣＩインデックスを提供することができる。例では、ＤＣＩインスタンス（例えば、各ＤＣＩインスタンス）は、ＤＣＩコンテンツを識別できるフィールド（例えば、ＤＣＩインデックス）を含むことができる。ＷＴＲＵは、同じ情報を含むことのできるＤＣＩインスタンスを廃棄することができる。全く同じＤＣＩは、処理を低減させるために廃棄することができる。例では、ＷＴＲＵは、ＤＣＩインデックスの第１の値を有する第１のＤＣＩインスタンスを受信することができる。ＷＴＲＵは、ＤＣＩインデックスの同じ値を含むことのできる後続するＤＣＩインスタンスを受信することができる（例えば、ＤＣＩダイバーシティが、時間期間内に構成され得るＣＯＲＥＳＥＴのセット内のもの）。ＷＴＲＵは、（例えば、受信すると）後続するＤＣＩインスタンスを廃棄することができる。ＷＴＲＵは、例えば、ダイバーシティＤＣＩと新しい情報を含むことのできるＤＣＩとの間を区別するために、ＤＣＩインデックスを使用することができる。
【００９１】
ＵＣＩダイバーシティを提供することができる。ＵＣＩの送信信頼性は、例えば、以下のもの、すなわち、時間、周波数、または空間ドメインのうちの１つまたは複数のものにおいて分離され得るリソースを介して、複数のインスタンスを送信することにより、高めることができる。複数のＵＣＩインスタンスは、例えば、短期間のフェージング、長期間のフェージング、および／または干渉に対するダイバーシティゲインを提供することができる。ＵＣＩインスタンス（例えば、各ＵＣＩインスタンス）は、物理アップリンク制御チャネル（ＰＵＣＣＨ）、または物理アップリンク共有チャネル（ＰＵＳＣＨ）を介して送信することができる。例では、ＵＣＩダイバーシティは、いくつかのタイプのＵＣＩ（例えば、ＨＡＲＱ−ＡＣＫ）に適用可能である。
【００９２】
例では、ＵＣＩインスタンスは、複数のキャリアおよび／または帯域幅部分を介して送信することができ、ＷＴＲＵは、それに対して動作するように構成され得る。図３で示されるように、ダウンリンク割当て（例えば、前のスロット３０２で受信された）に関することのできる同じＨＡＲＱ−ＡＣＫ情報が、複数のＰＵＣＣＨインスタンス（例えば、２つのＰＵＣＣＨインスタンス３０６および３０８）を介して送信され得る。２つのＰＵＣＣＨインスタンスは、ＵＬコンポーネントキャリア１（ＣＣ１）３１０上で送信され得る第１のＵＣＩインスタンス３０６と、ＵＬコンポーネントキャリア２（ＣＣ２）３１２上で送信され得る第２のＵＣＩインスタンス３０８とを含むことができる。ＵＣＩは、スロット２  ３０４で送信することができる。第１のＵＣＩインスタンス３０６および第２のＵＣＩインスタンス３０８のそれぞれは、同様の情報（例えば、同じＨＡＲＱ  ＡＣＫ−ＮＡＣＫ情報）を含むことができる。
【００９３】
図３は、ＤＣＩダイバーシティおよびＵＣＩダイバーシティを実施する例である。例では、ＵＣＩインスタンス（例えば、各ＵＣＩインスタンス）は、隣接するシンボルにＯＦＤＭシンボル（例えば、単一のＯＦＤＭシンボル）の送信を含むことができる（例えば、短いＰＵＣＣＨフォーマットを用いて）。時間ドメインにおける他の例は、例えば、同じＯＦＤＭシンボルにおける送信、または異なるスロットにおける送信を含むことができる。ＵＣＩインスタンス（例えば、各ＵＣＩインスタンス）により占められ得るリソース（例えば、ＲＢ、時間シンボル、スロットなど）は、独立して構成することができる。
【００９４】
例では、ＵＣＩインスタンスは、複数のビームを介して送信することができる。例えば、複数のビームが、異なるプリコーダを用いて送信され得る。ＷＴＲＵは、ＵＣＩインスタンス（例えば、各ＵＣＩインスタンス）に関連付けられたビーム決定に対して構成することができる。ＷＴＲＵは、以下のもの、すなわち、ビームインデックス、ビームプロセス識別、ＳＲＳインジケータ、またはＣＳＩ−ＲＳインジケータ（例えば、ビーム対応関係が存在する場合）など、のうちの１つまたは複数のものを含む情報を用いて構成することができる。ビーム決定（例えば、ＰＵＣＣＨに対して）のためにＷＴＲＵにより使用される情報は、ＵＣＩインスタンス（例えば、各ＵＣＩインスタンス）に対して上位レイヤにより構成され得る、またはＡＣＫ／ＮＡＣＫリソースインジケータ（ＡＲＩ）を含むことのできるＤＣＩにおいて示すことができる。ビーム決定（例えば、ＰＵＳＣＨに対する）のためにＷＴＲＵにより使用される情報は、ビームに関連付けられた許可を含むことのできるＤＣＩを介して示すことができる。
【００９５】
ビーム決定のためにＷＴＲＵにより使用される情報は、割当てを含むことのできるＰＤＣＣＨから導出され得る（例えば、暗黙的に導出される）。例では、ＰＵＣＣＨインスタンスの送信に関連付けられたビームは、参照信号（例えば、チャネル状態情報参照信号（ＣＳＩ−ＲＳ））から、または制御リソースセット、もしくは割当てを含むことのできるＰＤＣＣＨ送信に関連付けることのできるビームインジケータから導出され得る。この手法は、例えば、ＵＣＩダイバーシティに加えて、ＰＤＣＣＨダイバーシティ（またはＤＣＩダイバーシティ）を使用できるときに使用され得る。ＷＴＲＵは、受信したＰＤＣＣＨインスタンス（例えば、各受信したＰＤＣＣＨインスタンス）に対してＰＵＣＣＨインスタンス（例えば、１つのＰＵＣＣＨインスタンス）を送信することができる。ＰＤＣＣＨインスタンスは、例えば、いつおよび／またはどのようにして、ＵＣＩがＰＵＣＣＨを介して送信され得るかの割当てを含むことができる。
【００９６】
補助的なアップリンク（ＳＵＬ）を提供することができる。例では、ＷＴＲＵは、少なくとも１つのサービングセルに対するＳＵＬキャリアを用いて構成することができる。ＷＴＲＵは、例えば、スケジューリング要求（ＳＲ）、チャネル状態情報（ＣＳＩ）、またはＨＡＲＱ  ＡＣＫ／ＮＡＣＫを含むＵＣＩを送信するように構成することができる。ＵＣＩは、サービングセルに関連付けられた通常のＵＬキャリアおよびＳＵＬキャリアを介して送信することができる。
【００９７】
ＵＣＩダイバーシティを適用することができる。ＵＣＩインスタンス（例えば、各ＵＣＩインスタンス）のコンテンツは、例えば、（ｉ）同じコンテンツが、複数のＵＣＩインスタンスのそれぞれを介して送信されるかどうか（例えば、反復）、（ｉｉ）同じコンテンツが、ＵＣＩインスタンスを介して送信されるかどうか（例えば、ブロックエンコーディング）、または（ｉｉｉ）コンテンツの性質のうちの１つまたは複数のものに従って設定され得る。
【００９８】
例では、ＵＣＩインスタンス（例えば、各ＵＣＩインスタンス）は、少なくとも１つのタイプのＵＣＩ（例えば、ＨＡＲＱ−ＡＣＫ）に対して同じ情報ビットを含む、かつエンコードすることができる。ＵＣＩは、単一のインスタンスの受信から復号可能であり得る。例では、ＵＣＩは、例えば、ＵＣＩをＮブロックへとセグメント化し、セグメント化されたＮブロックをＤブロックへとエンコードすることによりエンコードされ得る。例では、受信機で、Ｄ個のＵＣＩインスタンスの少なくともＮ個のブロックを復号することは、ＵＣＩの全体を復元するのに十分であり得る。例では、エンコーディングは、パリティ符号を含むことができる。
【００９９】
例では（例えば、ＤＣＩダイバーシティが適用され得ない場合）、ＵＣＩは、ＨＡＲＱ−ＡＣＫビットのセットを含むことができる。特定のＨＡＲＱ−ＡＣＫビットと、トランスポートブロックの受信結果との間の関連付けが、例えば、ダウンリンク割当てインデックスに基づいて決定され得る。
【０１００】
例では（例えば、ＤＣＩダイバーシティを適用できる場合）、ＨＡＲＱ−ＡＣＫビットのセットが、例えば、ダイバーシティで受信されるように構成され得る（例えば、同じコンテンツに基づいて）ＤＣＩインスタンスのそれぞれに対して生成され、かつ送信され得る。これは、例えば、ＤＣＩインスタンスが復号に成功し得るかどうかにかかわらず、行うことができる。ＷＴＲＵは、例えば、ＷＴＲＵが、ダイバーシティにおいて複数のＤＣＩインスタンス（例えば、２つのＤＣＩインスタンス）を受信するように構成され得るが、構成されたＤＣＩインスタンス（例えば、構成された２つＤＣＩインスタンス）よりも少ないものを受信したとき、受信できないＤＣＩインスタンスに対応するトランスポートブロックに対してＮＡＣＫを報告することができる。報告は、例えば、ＷＴＲＵが、少なくとも１つのＤＣＩインスタンスを受信したときに実施され得る。ネットワークは、ＤＣＩインスタンス（例えば、各ＤＣＩインスタンス）から失われた割当てを決定することが可能である。失われた割当ての決定は、ＰＤＣＣＨのリンク適応に有用であり得る。
【０１０１】
例では、ＤＣＩダイバーシティを適用することができる。ＷＴＲＵは、例えば、ＷＴＲＵが、少なくとも１つのＤＣＩインスタンスを受信したとき、ダイバーシティで受信されるように構成され得るＤＣＩインスタンスのセットに対するＨＡＲＱ−ＡＣＫビットのセットを報告することができる。ＷＴＲＵは、ダイバーシティでＤＣＩインスタンスのセット内で成功裏に復号され得るＤＣＩインスタンスのサブセットのインジケーションを報告することができる。
【０１０２】
ＷＴＲＵは、同じＨＡＲＱプロセスおよびトランスポートブロックに対するＤＬデータを示すことのできる複数のＤＣＩを受信することができる。ＤＣＩは、異なる冗長性バージョンを用いてエンコードすることができる。ＷＴＲＵは、トランスポートブロックごとに１つのＨＡＲＱ−ＡＣＫビットを報告することができる（例えば、トランスポートブロックに対するデータを含むことのできるＰＤＳＣＨの受信されたインスタンスの数にかかわらず）。ＷＴＲＵは、トランスポートブロックごとのＨＡＲＱ−ＡＣＫビットと、トランスポートブロックのデータを含むことのできるＰＤＳＣＨインスタンス（例えば、同じ値を有する）とを送信することができる。
【０１０３】
ＵＣＩダイバーシティを用いる電力制御を提供することができる。送信（例えば、ＰＵＣＣＨ送信、またはＰＵＳＣＨ送信）に関連付けられた送信電力は、例えば、ＵＣＩダイバーシティが適用される場合、独立して設定することができる。例えば、１つまたは複数の参照信号の別個の構成を、経路損失推定に使用することができ、また他のパラメータを使用して、送信電力を決定することができる。
【０１０４】
送信電力制御（ＴＰＣ）を決定するためのＵＣＩダイバーシティを用いる電力制御が提供され得る。ＷＴＲＵは、ＵＣＩダイバーシティが適用され得る送信に適用可能なＴＰＣコマンドを決定することができる。
【０１０５】
ＴＰＣの例示的な決定では、ＷＴＲＵは、複数のＵＣＩインスタンス送信のそれぞれに対して、同様のＴＰＣ調整を適用することができる。ＴＰＣ調整は、例えば、ＵＣＩ送信に関連付けることのできるＤＣＩから受信され得る。例えば、ＤＣＩは、ＤＬ割当て、またはＣＳＩ要求を含むことができる。
【０１０６】
ＴＰＣの例示的な決定において、ＷＴＲＵは、複数のＵＣＩインスタンス送信のそれぞれに対して、別個のＴＰＣ調整を適用することができる。ＴＰＣ調整（例えば、各ＴＰＣ調整）は、例えば、ＵＣＩ送信に関連付けることのできるＤＣＩを介して受信され得る。例では、関連付けられたＤＣＩは、例えば、ＵＣＩダイバーシティが、２つの送信を用いて構成され得る場合、２つのＴＰＣ調整値を含むことができる。
【０１０７】
ＴＰＣの例示的な決定においては、ＷＴＲＵは、ＵＣＩインスタンス送信のそれぞれに対して、別個のＴＰＣ調整を適用することができる。ＴＰＣ調整は、例えば、ＵＣＩインスタンスに関連付けられ得る特定のＤＣＩインスタンスを介して、ＵＣＩインスタンスのそれぞれに対して受信することができる。
【０１０８】
例えば、キャリア集約（ＣＡ）および／または二重接続（ＤＣ）に対するなど、電力制御モードを備える電力制御を提供することができる。例では、ＷＴＲＵは、例えば、ＵＣＩダイバーシティが活動化される場合、ＵＣＩを含むことのできる送信に対して優先順位レベルを適用することができる。ＷＴＲＵは、例えば、電力制御モード（ＰＣＭ）で構成される場合、優先順位レベルを適用することができる。ＷＴＲＵは、送信の１つまたは複数のタイプをグループ化するように構成することができる。ＷＴＲＵは、例えば、最小の保証された電力を用いる送信のグループに対して、合計のＷＴＲＵで利用可能な電力の少なくともある量（例えば、一部）を割り当てるように構成することができる。ＷＴＲＵは、ＵＣＩを含む送信が、同じグループの送信の一部であると決定することができる。ＷＴＲＵは、例えば、ＵＣＩが、送信プロファイルに関連付けられる場合、このようなグループ化を実施することができる。例えば、このような送信プロファイルは、超高信頼低遅延通信（ＵＲＬＬＣ）タイプの送信に対応することができる。ＷＴＲＵは、このような送信のグループに対して、他のデータ送信（例えば、非ＵＲＬＬＣタイプの送信に対応する送信プロファイルに関連付けられたデータ送信）よりも高い優先順位を割り当てることができる。例えば、ＣＡを用いて構成されたＷＴＲＵにおいては、ＵＣＩダイバーシティを適用するときに生成される少なくともいくつかのＵＣＩを含む送信は、所与のＭＡＣインスタンスに対する他の送信に対して最高の優先順位を有することができる。例えば、ＤＣおよび／または複数の送信グループを用いて構成されたＷＴＲＵの場合、少なくともいくつかのＵＣＩを含む少なくとも１つの送信（例えば、ＵＣＩダイバーシティを適用するときに生成された）を有する送信のグループ（またはセルグループ）は、他のグループよりも最高の優先順位を有することができる。
【０１０９】
リソース割り当ては、ＰＵＣＣＨを用いるＵＣＩダイバーシティを備えることができる。ＰＵＣＣＨ送信のリソースおよびフォーマットは、例えば、１つまたは複数の例示的な手順に従って決定することができる（例えば、ＵＣＩインスタンスがＰＵＣＣＨを介して送信されるとき）。例では、ＷＴＲＵは、ＰＵＣＣＨリソースの１つまたは複数の組合せを用いて構成され得る。ＰＵＣＣＨリソース（例えば、各ＰＵＣＣＨリソース）は、ＵＣＩインスタンスがそれを介して送信され得るリソースに対応することができる。例（例えば、２つのＵＣＩインスタンスを有する場合）では、組合せは、第１のＣＣもしくは帯域幅部分上のＰＵＣＣＨリソースインデックス＃２４、および第２のＣＣもしくは帯域幅部分上のＰＵＣＣＨリソースインデックス＃１３として定義され得る。組合せは、ＰＵＣＣＨダイバーシティリソース、またはＰＵＣＣＨダイバーシティスーパーリソースと呼ぶことができる。ＷＴＲＵは、複数のＰＵＣＣＨダイバーシティリソースを用いて（例えば、上位レイヤにより）構成することができる。ＰＵＣＣＨダイバーシティリソースは、関連するＤＣＩのフィールド（例えば、ＡＲＩフィールド）で示され得る。ＷＴＲＵは、プールを用いて、（例えば、上位レイヤにより）構成され得る。プールは、通常のＰＵＣＣＨリソースと、ネットワークがＵＣＩダイバーシティの使用を制御できるようにする（例えば、動的に制御する）ＰＵＣＣＨダイバーシティリソースとを含むことができる。
【０１１０】
例では、ＷＴＲＵは、ＵＣＩダイバーシティに加えて、ＤＣＩダイバーシティを用いて構成することができる。ＷＴＲＵは、関連するＤＣＩインスタンスにより示され得るリソースでＵＣＩインスタンスを送信することができる。ＤＣＩインスタンス（例えば、各ＤＣＩインスタンス）は、ＰＵＣＣＨリソースを示すことのできるＡＲＩを備えることができる。ＷＴＲＵは、例えば、ＷＴＲＵが、対応するＤＣＩインスタンスを受信した可能性のある場合、ＵＣＩインスタンスを送信することができる。
【０１１１】
ＤＴＸフィードバックの送信を提供することができる。例では、ＷＴＲＵは、特定のＰＵＣＣＨリソースで、ＨＡＲＱ−ＡＣＫ情報を送信することができる。ＨＡＲＱ−ＡＣＫは、所与のスロットまたはミニスロットで特定のＣＯＲＥＳＥＴからＤＬ送信またはＤＬ割当てが受信されていない（例えば、不連続送信（ＤＴＸ）の場合）ことを示す（例えば、明示的に示す）ことができる。ＰＵＣＣＨリソースのタイミングは、例えば、ＤＬ割当てが受信されなかったスロットまたはミニスロットのタイミングから取得することができる。
【０１１２】
ＰＵＣＣＨ干渉のランダム化を提供することができる。例では、２つ以上のＷＴＲＵから２つ以上の送信／受信点（ＴＲＰ）へのＰＵＣＣＨ送信は、衝突する可能性がある。例えば、犠牲となるＰＵＣＣＨ送信に対する強力な干渉性のＰＵＣＣＨ送信の影響を低減するために、干渉のランダム化を使用することができる。例えば、ＷＴＲＵの対が、衝突するＰＵＣＣＨリソースを使用しないことによって、干渉のランダム化を使用することができる。
【０１１３】
干渉のランダム化は、送信ダイバーシティを高めるために利用され得る。干渉のランダム化は、例えば、以下のホッピングリソース、すなわち、送信ビームまたはビーム対のホッピング、スロット内またはスロットにわたるＰＵＣＣＨシンボルのホッピング、または複製パターンのホッピング、のうちの１つまたは複数のものを含むことができる。
【０１１４】
ホッピングリソースの例では、ホッピングは、ＢＷＰ内で、または複数のＢＷＰにわたって実施することができる。ＰＵＣＣＨ送信（例えば、各ＰＵＣＣＨ送信）は、例えば、周波数リソースのパターンにわたって循環することができる。例では、ホッピングは、ＰＵＣＣＨ送信内で実施され得る。
【０１１５】
送信ビームまたはビーム対のホッピングの例では、ＰＵＣＣＨ送信は、ビームのセットの中で循環することができる。例では、ビームの中の循環は、例えば、ＰＵＣＣＨ送信内でＰＵＣＣＨシンボルのセットごとにビームを用いて実施され得る。スロット内またはスロットにわたるＰＵＣＣＨシンボルのホッピングの例では、複数のＰＵＣＣＨ送信のそれぞれに対して、短いＰＵＣＣＨが、スロットの異なるシンボルを占有することができる。
【０１１６】
複製パターンのホッピングの例では、ＰＵＣＣＨ送信（例えば、各ＰＵＣＣＨ送信）は、複数の複製を使用することができる。複製のそれぞれは、異なるリソースを使用することができる。その後に続くＰＵＣＣＨ送信（例えば、各後続するＰＵＣＣＨ送信）は、リソースの異なるセット（例えば、別個のセット）を使用することができる。リソースの異なるセットは、複数の複製を可能にするために使用することができる。
【０１１７】
干渉のランダム化および／またはホッピングパターンの使用を、ＷＴＲＵに示すことができる。例えば、干渉のランダム化および／またはホッピングパターンのこのような使用は、ＷＴＲＵに動的に示すことができる。ホッピングパターンは、例えば、ＰＵＣＣＨ送信の特性に基づいて決定され得る。例では、ホッピングＰＵＣＣＨ構成は、ＰＵＣＣＨのフレームタイミング、サブフレームタイミング、またはスロットタイミングに応じたものとすることができる。例では、ＰＵＣＣＨ構成は、前のＰＵＣＣＨ送信に使用されたＰＵＣＣＨ構成に応ずることができる。例では、ホッピングＰＵＣＣＨ構成は、ＷＴＲＵパラメータ（例えば、ＷＴＲＵ  ＩＤ）、またはＴＲＰパラメータ（例えば、ＴＲＰ  ＩＤ）に応じたものとすることができる。
【０１１８】
ＰＵＣＣＨリソースの構成を提供することができる。ＷＴＲＵは、１つまたは複数のＰＵＣＣＨフォーマットまたはフォーマットタイプ（例えば、短いＰＵＣＣＨまたは長いＰＵＣＣＨ）を使用するように構成することができる。ＷＴＲＵは、１つまたは複数のＰＵＣＣＨフォーマットに関連付けられたパラメータで構成され得る。ＰＵＣＣＨリソースの構成は、例えば、半静的に提供され得る。
【０１１９】
ＰＵＣＣＨリソースの構成は、例えば、（ｉ）ＰＵＣＣＨフォーマット（例えば、短いＰＵＣＣＨフォーマット、または長いＰＵＣＣＨフォーマット）、（ｉｉ）シンボルにおけるＰＵＣＣＨ持続期間（例えば、１または２シンボルの短いＰＵＣＣＨ、および長いＰＵＣＣＨの持続期間など）（ｉｉｉ）ＰＵＣＣＨ送信に使用される波形（例えば、巡回プレフィックスベースの直交周波数分割多重（ＣＰ−ＯＦＤＭ）、または離散フーリエ変換拡散直交周波数分割多重（ＤＦＴ−ｓ−ＯＦＤＭ））、（ｉｖ）ＰＵＣＣＨに使用されるニューメロロジ（例えば、サブキャリア間隔、ＣＰタイプなど）、（ｖ）時間位置（例えば、ＰＵＣＣＨが送信され得るスロット内のシンボル位置）、（ｖｉ）周波数位置（例えば、サブキャリア、ＰＲＢ、帯域幅部分（ＢＷＰ））、（ｖｉｉ）周波数インターレースインデックス（例えば、同じＰＲＢまたはＢＷＰ上で複数のＰＵＣＣＨのＦＤＭを可能にするために使用される、この場合、ＰＵＣＣＨ送信は、ＰＲＢまたはＢＷＰ内の１つまたは複数のインターレースに割り当てることができる）、（ｖｉｉｉ）ホッピングパターン（例えば、ＰＵＣＣＨ送信内の、またはＰＵＣＣＨ送信にわたるホッピングを行うために）、（ｉｘ）ビームまたはビーム対、（ｘ）複製パターン（例えば、複数のリソースにわたって複製され得るＰＵＣＣＨ送信に対して）、（ｘｉ）直交カバーコード（ＯＣＣ）（例えば、ＯＣＣが時間経過と共に適用されるのか、それともサブキャリア要素に対してかを含むことができる）、（ｘｉｉ）巡回シフト、または（ｘｉｉｉ）送信ダイバーシティ方式、のうちの１つまたは複数のものを含むことができる。
【０１２０】
周波数位置は、例えば、ＰＵＣＣＨを送信できる周波数割り当てを含むことができる。周波数位置は、例えば、オフセット値として提供され得る。オフセットは、例えば、ＰＵＣＣＨを構成できるＰＤＣＣＨ、またはＰＤＳＣＨを割り当てるＰＤＣＣＨ、またはＰＤＳＣＨの周波数位置に適用することができる。オフセットは、同時のＰＵＳＣＨの周波数位置に適用することができる。周波数位置は、例えば、サブキャリア、ＰＲＢ、および／またはＢＷＰのセットを含むことができる。ＰＵＣＣＨ送信インスタンス（例えば、各ＰＵＣＣＨ送信インスタンス）に対する周波数位置を示す（例えば、動的に示す）ために、セットを使用することができる。例えば、反復により周波数ダイバーシティを可能にするために、セットを使用することができる。例えば、周波数ホッピングを可能にするために、セットを使用することができる。
【０１２１】
構成（例えば、複製パターンを含む）は、ＰＵＣＣＨ送信が複製され得るリソースのセットを含むことができる。異なる複製パターンを選択することができる（例えば、動的に選択できる）。
【０１２２】
半静的な構成は、１つまたは複数のテーブルを含むことができる。テーブルは、符号点のセットと、符号点のセットにおける各符号点に結合され得るＰＵＣＣＨ構成のセットとを含むことができる。例では、第１のテーブルは、短いＰＵＣＣＨ送信に対する構成を含むことができ、また第２のテーブルは、長いＰＵＣＣＨ送信に対する構成を含むことができる。例では、テーブルは、複数のＰＵＣＣＨ持続期間およびＰＵＣＣＨフォーマットに適用可能である。
【０１２３】
ＰＵＣＣＨ構成の動的なインジケーションを提供することができる。例では、ＨＡＲＱ  Ａ／ＮまたはＣＳＩなど、ＵＣＩを送信するためにＰＵＣＣＨ構成の組合せを示すインジケーション（例えば、動的なインジケーション）が（例えば、ＷＴＲＵに）提供され得る。動的なインジケーションは、例えば、テーブルインデックスと、テーブル内で使用される符号点インデックスとを含むことができる。例では、動的なインジケーションを提供することができる（例えば、暗黙的に提供される）。例えば、動的なインジケーションは、送信に応じて（例えば、ＰＤＣＣＨ送信、またはＰＤＳＣＨ送信のパラメータに応じて）提供され得る。例では、ハイブリッド手順を使用することができる。ＷＴＲＵは、例えば、明示的なインデックスと暗黙的な関係性の組合せに基づいて、ＰＵＣＣＨ構成を決定することができる。例では、ＷＴＲＵは、ＰＵＣＣＨ構成を動的に決定することができる。例では、ＷＴＲＵは、構成の第１のセットまたはＰＵＣＣＨ構成テーブルを決定することができ、また構成の第２のセットまたはテーブル内の符号点を決定することができる。例えば、ＰＵＣＣＨ構成テーブルは、暗黙的に決定することができ、また構成の第２のセットまたは符号点は、明示的に決定することができる。
【０１２４】
暗黙的なインジケーションは、以下のもの、すなわち、（ｉ）スロットサイズ、（ｉｉ）スロットのＵＬ／ＤＬ構成（ｉｉｉ）サービスタイプ、（ｉｖ）ＵＣＩ多重、（ｖ）フィードバックタイミング、（ｖｉ）フィードバックタイプ、または（ｖｉｉ）異なるフィードバックタイプの衝突、のうちの１つまたは複数のものを含むことができる。スロットサイズの例では、ミニスロットは、短いＰＵＣＣＨの使用を示すことができ、または通常のスロットは、長いＰＵＣＣＨの使用を示すことができる。スロットのＵＬ／ＤＬ構成の例では、ＷＴＲＵは、例えば、ＵＬ送信に割り当てられたシンボルの数に基づいて、ＰＵＣＣＨタイプ（例えば、短いまたは長い）、または長いＰＵＣＣＨ持続期間を決定することができる。サービスタイプの例では、ＵＲＬＬＣは、より高い信頼性を可能にするＨＡＲＱに対するＰＵＣＣＨフォーマットを含むことができる。例では、ＵＲＬＬＣ送信は、ＰＵＣＣＨダイバーシティを要求することができる。ＵＣＩ多重の例では、（例えば、複数のキャリアまたはスロット集約に起因して）複数のＴＢに結合されたＨＡＲＱの送信は、より高いペイロードのＰＵＣＣＨフォーマットを有することができる。フィードバックタイミングの例では、閾値未満のオフセットを用いるフィードバックタイミングは、第１のＰＵＣＣＨテーブルを使用できるが、閾値を超えるオフセットを用いるフィードバックタイミングは、第２のＰＵＣＣＨテーブルを使用することができる。例では、短いＰＵＣＣＨは、例えば、フィードバックが、ＤＬデータと同じスロットで提供され得る自己完結型のスロットに対して使用され得る。フィードバックタイプの例では、ＨＡＲＱフィードバックは、第１のＰＵＣＣＨ構成を使用できるが、ＣＳＩは、第２のＰＵＣＣＨ構成を使用することができる。例では、トランスポートブロック（ＴＢ）ベースのＨＡＲＱフィードバックは、第１のＰＵＣＣＨ構成（例えば、短いＰＵＣＣＨ）を使用することができ、また符号ブロックグループ（ＣＢＧ）ベースのＨＡＲＱフィードバックは、第２のＰＵＣＣＨ構成を使用することができる。異なるフィードバックタイプ（例えば、異なるサービスタイプに関連付けられた）の間の衝突の例では、より高い優先順位を有するサービスタイプに対するＰＵＣＣＨ構成を使用することができる。例では、例えば、ｅＭＢＢ  ＨＡＲＱフィードバックがＵＲＬＬＣ  ＨＡＲＱフィードバックと衝突するおそれのあるとき、ＵＲＬＬＣサービスに対するＰＵＣＣＨ構成に対してフィードバック多重化を使用することができる。
【０１２５】
ＰＵＣＣＨ構成に基づくフィードバック選択を提供することができる。例では、ＷＴＲＵは、フィードバックに使用されるＰＵＣＣＨ構成に基づいて、フィードバックのタイプを決定することができる。短いＰＵＣＣＨリソースに割り当てられたＷＴＲＵは、例えば、ＴＢベースのＨＡＲＱフィードバックには、ＰＤＳＣＨ送信が必要になり得ると決定することができる。長いＰＵＣＣＨリソースに割り当てられたＷＴＲＵは、例えば、ＣＢＧベースのＨＡＲＱフィードバックが必要になり得ると決定することができる。例では、ＷＴＲＵは、例えば、ＰＵＣＣＨ構成に基づいて、ＣＳＩフィードバックのタイプを決定することができる。
【０１２６】
ＰＵＣＣＨ送信を多重化することができる。例では、ＷＴＲＵは、複数のＰＵＣＣＨ送信を多重化するように構成することができる。多重化は、例えば、同じリソース上に複数のＰＵＣＣＨ送信を割り当てることにより達成され得る。ＷＴＲＵには、複数のＰＵＣＣＨ送信のそれぞれに対して、異なる周波数インターレース、ホッピングパターン、および／または直交カバーコード（ＯＣＣ）を割り当てることができる。
【０１２７】
ＷＴＲＵには、複数のＰＵＣＣＨ送信に対するリソースを割り当てることができる。リソースは、例えば、衝突するリソースとすることができる。例では、ＷＴＲＵは、複数のＵＣＩを同じＰＵＣＣＨリソースに多重化することができる。例では、ＷＴＲＵは、ＵＣＩに関連付けられた優先順位ランキングを有することができる。ＷＴＲＵは、低い優先順位を有するＵＣＩまたはフィードバックを除外することができる。例では、ＷＴＲＵは、ＵＣＩに関連付けられた優先順位ランキングを有することができ、また最高の優先順位のＵＣＩに対してＰＵＣＣＨリソースを使用することができ、別のＵＣＩ送信に対して、ＰＵＣＣＨリソースの別のセット（例えば、ＰＵＣＣＨリソースの代替のセット）を使用することができる。例では、ＷＴＲＵは、複数のＵＣＩ送信に対して代替のＰＵＣＣＨリソースを使用することができる。例では、複数のＵＣＩのそれぞれを、異なる代替のリソースに割り当てることができる。代替のリソースは、多重化を可能にすることができる（例えば、効率的な多重化）。例では、ＵＣＩに対するＰＵＣＣＨ構成は、インターレースを使用しない可能性がある。例では、代替の構成は、多重化を可能にできるインターレーシングパターンを使用することができる。例では、ＵＣＩに対するＰＵＣＣＨ構成は、ＢＷＰオフセットを含むことができる（例えば、別のＵＣＩ送信と衝突する場合）。例では、短いＰＵＣＣＨ構成タイミング（例えば、シンボル位置）は、ＵＣＩ送信が衝突を認識できるかどうかに応じたものであり得る。例では、ＰＵＣＣＨホッピング構成は、衝突が生ずるかどうかに応じたものとすることができる。
【０１２８】
差別化した処理を提供することができる。送信に適用可能なプロファイルの決定を提供することができる。ＷＴＲＵは、例えば、ＵＣＩに関連付けることのできる送信プロファイル（例えば、決定された送信プロファイル）に従って、ＵＣＩを処理し、かつ送信することができる。送信プロファイルは、例えば、リソースの量および優先順位付けが、ＵＣＩに対する信頼性目的を満たすことができるように決定され得る。送信プロファイルのこのような決定は、リソースの効率的な利用を可能にする。
【０１２９】
例では、送信プロファイルは、アップリンクデータまたはサイドリンクデータに関連付けることができる。例えば、アップリンクデータまたはサイドリンクデータに関連付けられた送信プロファイルは、アップリンクデータまたはサイドリンクデータと、異なるプロファイルのＵＣＩとの間の優先順位付けを可能にするために使用され得る。
【０１３０】
ＤＣＩ、ＵＣＩ、またはデータに適用可能な送信プロファイルを決定することができる。例では、ＵＣＩに関連付けられた送信プロファイルは、例えば、以下のもの、すなわち、（ｉ）関連するダウンリンクデータ送信に対する（例えば、ＨＡＲＱ−ＡＣＫまたはＣＳＩに対する）送信プロファイル、（ｉｉ）関連するアップリンクデータ送信に対する（例えば、ＳＲに対する）送信プロファイル、または（ｉｉｉ）ＵＣＩが送信される帯域幅部分、のうちの１つまたは複数のものと同等である、またはそれから決定され得る。
【０１３１】
ＵＣＩまたはアップリンクデータに関連付けられた送信プロファイルは、例えば、以下のもの、すなわち、（ｉ）上位レイヤ構成に基づいてデータが送信され得る論理チャネルまたは論理チャネルグループ（例えば、送信プロファイルは、各論理チャネルまたは論理チャネルグループに対して構成され得る、またはＷＴＲＵは、例えば、送信持続期間もしくは同様のものなど、所与の送信に対する１つまたは複数の物理レイヤ特性に合わせた論理チャネル（ＬＣＨ）の構成に基づいて、送信プロファイルを決定することができる）、（ｉｉ）ＳＲをトリガしたデータの論理チャネルまたは論理チャネルグループ、（ｉｉｉ）ＵＣＩまたはアップリンクデータの送信に関連付けることのできるＤＣＩにおけるフィールドの値（例えば、送信プロファイルの明示的なインジケーション、または既存のフィールドから（例えば、ＨＡＲＱプロセスインデックス）、または論理チャネル優先順位付け（例えば、アップリンク許可に対して）に対して使用され得るフィールドから暗黙的に、または巡回冗長検査（ＣＲＣ）をマスクするために使用され得る無線ネットワーク一時識別子（ＲＮＴＩ）値、（ｉｖ）送信プロファイルが、ＣＯＲＥＳＥＴ（例えば、各ＣＯＲＥＳＥＴ）に対して、またはＰＤＣＣＨ構成（例えば、各ＰＤＣＣＨ構成）に対して（例えば、上位レイヤにより）構成され得るなどの場合、ＵＣＩまたはアップリンクデータの送信に関連付けることのできるＰＤＣＣＨの特性（例えば、ＣＯＲＥＳＥＴ、モニタリング期間、スロットの開始時にＰＤＣＣＨがモニタされるかどうかの決定、ＰＤＣＣＨ復号に使用され得る探索空間もしくは集約レベル、または帯域幅部分）、（ｖ）上位レイヤのシグナリング（例えば、ＣＳＩに対する）、および／または、例えば、上位レイヤにより構成される、パラメータのセットを示すことのできるＤＣＩにおけるフィールド（例えば、非周期性のＣＳＩフィールドにより示され得るＣＳＩレポート設定など）、（ｖｉ）ＰＤＳＣＨ送信の、またはそれに関連付けられた特性、例えば、持続期間、帯域幅部分、ニューメロロジの特性（例えば、サブキャリア間隔、シンボル持続期間など）、送信構成インジケーション（ＴＣＩ）状態（例えば、ＨＡＲＱ−ＡＣＫに対するもの）、ＰＤＳＣＨ送信に関連付けられた制御情報（例えば、ＤＣＩにおける）に対して構成された、または示された変調符号化方式（ＭＣＳ）テーブルなど、（ｖｉｉ）ＳＲの送信用に構成されたＰＵＣＣＨリソースの、またはそれに関連付けられた特性（サブキャリア間隔、ＰＵＣＣＨリソースの持続期間、ＳＲ構成に関連付けられた論理チャネル、または優先順位などのその特性、および／またはＳＲ構成の一部として明示的に構成された送信プロファイルなど）、（ｖｉｉｉ）許可またはＰＵＳＣＨ送信の、またはそれに関連付けられた特性（例えば、アップリンクデータに対する）、例えば、論理チャネル優先順位付けに対する論理チャネル制限を決定するために使用される特性（ＰＵＳＣＨ送信の持続期間、ニューメロロジの特性（例えば、サブキャリア間隔、シンボル持続期間）、またはキャリアの特性など）、または（ｉｘ）関連するＰＤＳＣＨ送信もしくはＰＵＳＣＨ送信が送信される帯域幅部分、のうちの１つまたは複数のものに基づいて決定され得る。（ｉｖ）に関して、送信プロファイルは、構成され得る優先度の順序に基づく優先順位を有することができる。例えば、送信プロファイルは、ＰＤＣＣＨ候補が、複数の送信プロファイルに関連付けられた探索空間の一部である場合、構成された優先度の順序に基づく優先順位を有することができる。（ｉ）に関しては、ＵＣＩに関連付けられた送信プロファイルは、データがそこから送信され得る論理チャネルまたは論理チャネルグループに関連付けられた属性（例えば、ＱｏＳメトリック）に基づいて決定することができる。（ｖ）に関しては、ＢＬＥＲターゲット値が、ＣＳＩレポート設定に対して構成され得る。ＢＬＥＲターゲット値は、暗黙的に送信プロファイルを示すことができる。例えば、低いＢＬＥＲターゲット値は、高い優先順位の送信プロファイルを示すことができる。例では、ＣＱＩレポーティングのテーブルは、ＣＳＩレポート設定に対して構成することができる。
【０１３２】
ＤＣＩまたはダウンリンクデータに対する送信プロファイルは、例えば、以下のもの、すなわち、（ｉ）例えば、ＵＣＩまたはアップリンクデータに関して本明細書で開示されるように、ＤＣＩが復号され得る、またはダウンリンクデータに対する割当てが復号され得るＰＤＣＣＨの特性（例えば、探索空間、明示的な構成など）、（ｉｉ）ＰＤＳＣＨ送信に関連付けられた制御情報（例えば、ＤＣＩで）に対して示された変調符号化方式（ＭＣＳ）テーブル、このようなインジケーションは、上位レイヤにより構成され得る、またはＤＣＩのフィールドに含まれ得る、（ｉｉｉ）ダウンリンクデータの送信に関連付けることのできるＤＣＩにおけるフィールドの値、もしくはＣＲＣをマスクするために使用され得るＲＮＴＩ値、または（ｉｖ）ＰＤＳＣＨ送信の持続期間、および／またはニューメロロジ（例えば、サブキャリア間隔、シンボル持続期間など）の特性など、割当てまたはＰＤＳＣＨ送信（例えば、ダウンリンクデータに対する）の、またはそれに関連付けられる特性、のうちの１つまたは複数のものに基づいて決定することができる。
【０１３３】
例では、物理チャネル（例えば、ＰＤＣＣＨ、ＰＵＣＣＨ、ＰＤＳＣＨ、またはＰＵＳＣＨ）に対する送信プロファイルを定義することができる。送信プロファイルは、例えば、物理チャネルによって伝達され得るデータまたは制御情報のタイプに基づいて決定することができる。送信プロファイルは、例えば、物理チャネル送信が、異なるプロファイル（例えば、ＰＵＳＣＨに多重化されたＵＣＩ）の制御情報および／またはデータを含むとき、プロファイルの中で最も高い優先順位レベルに基づいて設定され得る。
【０１３４】
プロファイルの決定は、タイミング特性を示すことができる。例では、送信プロファイルは、タイミング特性に関連付けることができる。このようなタイミング特性は、以下のもの、すなわち、（１）スケジューリングに関係する遅延コンポーネント、例えば、このようなコンポーネントは、Ｎ１またはＮ２の一方に対応することができる、（２）ＷＴＲＵ処理時間、例えば、このような処理時間は、Ｎ１またはＮ２の一方に対応することができる、（３）送信の開始シンボル、または（４）送信の持続期間、のうちの少なくとも１つに対応することができる。Ｎ１および／またはＮ２は、本明細書で述べられるＯＦＤＭシンボルの数を表すことができる。例では、送信プロファイルは、値に依存するこのような１つまたは複数のタイミング特性が提供され得る送信に対応することができる。特定の値は、ＷＴＲＵ構成の一側面を表すことができる。送信プロファイルは、少なくとも１つの優先順位レベルに、または無認可帯域において動作するためのチャネルアクセス特性を決定する少なくとも１つのパラメータに関連付けることができる。例えば、少なくとも１つのパラメータは、最大の競合ウィンドウサイズまたは遅延持続期間を含むことができる。
【０１３５】
プロファイル（例えば、送信プロファイル）に基づく送信特性の処理を提供することができる。例えば、本明細書で述べられる送信プロファイルに基づいて、符号化側面、送信電力、および／またはリソース選択もしくは割り当てが決定され得る。
【０１３６】
例では、ＷＴＲＵは、送信プロファイルから、物理チャネル（例えば、ＰＤＣＣＨ、ＰＤＳＣＨ、ＰＵＣＣＨ、またはＰＵＳＣＨ）に対するチャネル符号化に関連し得る１つまたは複数の側面を決定することができる。決定され得る符号化側面は、以下のもの、すなわち、（ｉ）符号のタイプ（例えば、ポーラ、ＬＤＰＣ、ターボ、反復）、（ｉｉ）符号化率、（ｉｉｉ）誤り検出のために、情報ビットのセットに付加され得る巡回冗長検査（ＣＲＣ）の長さ、（ｉｖ）変調符号化方式フィールドと、変調次数および符号化率の間のマッピング、または（ｖ）ＰＤＣＣＨを復号するための１つまたは複数の集約レベルに対する１つまたは複数の探索空間、のうちの１つまたは複数のものを含むことができる。
【０１３７】
例では、ＷＴＲＵは、例えば、ＰＤＣＣＨに対する上位レイヤ構成が、第１の送信プロファイルを示すことができるとき、ＰＤＣＣＨに対して１６ビットのＣＲＣを用いて構成することができる。ＷＴＲＵは、例えば、構成が第２の送信プロファイルを示すことができるとき、２４ビットのＣＲＣを用いて構成することができる。例えば、可変のＣＲＣサイズを用いることは、送信されるデータの特性によって必要になり得る場合、より信頼性のあるＰＤＣＣＨ送信をネットワークが使用できるようにする。
【０１３８】
例では、ＵＣＩの少なくとも１つのタイプ（例えば、ＨＡＲＱ−ＡＣＫ）に適用され得る符号化率は、例えば、送信プロファイルに依存するはずである。例では、複数の送信プロファイルのＵＣＩは、同じ送信（例えば、ＰＵＣＣＨ）へと多重化することができる。ＵＣＩ（例えば、各ＵＣＩ）は、例えば、プロファイルに依存する符号化率を用いて、別個にエンコードすることができる。このようなエンコーディングは、第１のエンコーディング段を表すことができる。各ＵＣＩに関連付けられた第１のエンコーディング段からの符号化ビットは、連結されて、第２のエンコーディング段を受けることができる。
【０１３９】
送信電力は、送信プロファイルに基づいて決定することができる。例では、ＷＴＲＵは、送信に関連付けられた送信電力を決定し、かつ適用することができる。送信電力は、送信プロファイルに依存し得る式および／またはパラメータを用いて決定され得る。例では、電力制御式で使用され得るパラメータが、各送信プロファイルに対して構成され得る（例えば、独立して構成される）。例では、電力制御設定は、送信プロファイルにより構成され得るオフセット値に基づくことができる。例では、ＴＰＣフィールドの解釈は（例えば、アップ／ダウン調整のためのｄＢ数に関して）、送信プロファイルに依存し得る。送信電力を決定するために送信プロファイルを使用することは、電力の適切なレベルの使用を容易にして、送信（例えば、各送信）に関連付けられた目標とする信頼性を達成することができる。
【０１４０】
例では、スケジューリング要求（ＳＲ）の送信に適用される電力制御パラメータは、ＳＲ構成に依存することができる。ＳＲ構成は、ＳＲをトリガした論理チャネルにマップされ得る。
【０１４１】
例では、ＨＡＲＱ−ＡＣＫ送信に適用される電力制御パラメータは、対応するＰＤＳＣＨ送信の持続期間に応じたものであり得る。例えば、ＰＤＳＣＨ送信が、上位レイヤにより構成された閾値より低い場合、ＷＴＲＵは、電力制御パラメータの第１のセットを適用することができる。ＰＤＳＣＨ送信が閾値を超える場合、ＷＴＲＵは、電力制御パラメータの第２のセットを適用することができる。
【０１４２】
例では、ＨＡＲＱ−ＡＣＫの送信に適用される電力制御パラメータは、ＨＡＲＱ−ＡＣＫが送信されるＵＬ帯域幅部分（例えば、アクティブな帯域幅部分）に、または対応するＰＤＳＣＨが送信されるＤＬ帯域幅部分に依存し得る。各帯域幅部分は、上位レイヤにより、電力制御パラメータのセットを用いて構成され得る。
【０１４３】
例では、ＰＵＣＣＨ（またはＰＵＳＣＨ）を介するＣＳＩの送信に適用される電力制御パラメータは、ＣＳＩレポート設定用に構成されたＢＬＥＲターゲット値に依存し得る。例えば、ＷＴＲＵは、ＢＬＥＲターゲット値に基づいて電力オフセットを適用することができる。ＢＬＥＲターゲット値は、例えば、ＢＬＥＲターゲット値のそれぞれに対して、上位レイヤにより構成され得る。電力オフセットは、例えば、各ＣＳＩレポート設定に対して構成され得る。
【０１４４】
複数の送信プロファイルのデータまたはＵＣＩは、同じ送信に多重化することができる。共通の送信に対する電力制御パラメータは、例えば、プロファイルに、例えば、最も高い優先順位レベルを有するプロファイルに基づいて決定され得る。
【０１４５】
例では、電力制御パラメータは、特定の電力制御モード（ＰＣＭ）、または最小の保証された電力レベルを含むことができる。例えば、ＰＣＭは、ＰＣＭ１、ＰＣＭ２などを含むことができる。
【０１４６】
例えば、送信プロファイルに基づいて、リソース選択または割り当てを決定することができる。例では、送信によって使用され得るリソースおよび／またはフォーマットは、送信プロファイルに応じたものとすることができる。例えば、ＰＵＣＣＨの場合、ＡＲＩにより示されたリソースのセット、および／またはフォーマットは、送信プロファイルに依存することができる。ネットワークは、例えば、各送信プロファイルなど、送信プロファイルに対するリソースの少なくとも１つのセットを構成することができる。低い干渉を受ける可能性のあるリソースのセットは、より信頼性のある送信に使用できる送信プロファイルに関連付けることができる。
【０１４７】
例では、長いまたは短いＰＵＣＣＨフォーマットおよび／またはいくつかのシンボルを使用することは、送信プロファイルに対応することができる。例では、ＷＴＲＵは、超信頼性のトラフィックに適切であり得る送信プロファイル（例えば、第１の送信プロファイル）に対して複数のシンボル（例えば、２シンボル）を介してＰＵＣＣＨを送信するように構成することができる。ＷＴＲＵは、他の非超信頼性のモバイル広帯域トラフィックに適切であり得る別の送信プロファイル（例えば、第２の送信プロファイル）に対するシンボル（例えば、１つのシンボル）を介してＰＵＣＣＨを送信するように構成することができる。
【０１４８】
例では、帯域幅部分のセット、およびニューメロロジ（例えば、サブキャリア間隔、巡回プレフィックスの長さ、またはスロットもしくはミニスロット当たりのシンボル数のうちの１つまたは複数のものを含む）は、キャリア内のダウンリンク送信またはアップリンク送信に使用することができ、例えば、送信プロファイルに依存することができる。
【０１４９】
例では、波形は、送信プロファイルに依存することができる。例えば、波形は、直交周波数分割多重（ＯＦＤＭ）波形、またはシングルキャリア周波数分割多元接続（ＳＣ−ＦＤＭＡ）波形とすることができる。例では、周波数ホッピングの使用は、送信プロファイルに依存することができる。
【０１５０】
例では、ＵＣＩの少なくとも１つのタイプ（例えば、ＨＡＲＱ−ＡＣＫ）に関して、ＵＣＩは、ＰＵＣＣＨを介して送信され得る、またはＰＵＳＣＨを介して送信されるデータと多重化され得る。ＵＣＩが、ＰＵＣＣＨを介して送信されるか、それともＰＵＳＣＨを介して送信されるデータと多重化されるかの選択は、ＵＣＩおよびデータに関連付けられた送信プロファイルに応じて行うことができる。例では、例えば、ＵＣＩおよびデータが、同じ送信プロファイルを、または送信プロファイルに関連付けられた同じ優先順位レベルを有することができるとき、ＵＣＩは、ＰＵＳＣＨを介してデータと多重化することができる。ＵＣＩは、ＰＵＣＣＨを介して別個に送信され得る。例では、少なくとも１つのタイプのＵＣＩ（例えば、チャネル状態情報（ＣＳＩ））は除外され得る。
【０１５１】
例では、（例えば、ＰＵＳＣＨにおけるデータで多重化される場合）少なくとも１つのタイプのＵＣＩにより使用できるいくつかのリソース要素、またはその一部は、例えば、１つまたは複数のファクタ（例えば、ベータパラメータ）によって決定され得る。このようなファクタは、送信プロファイルに応ずることができる。例では、ＵＣＩの所与のタイプに対して、ＷＴＲＵは、第１の送信プロファイルに適用可能であり得るファクタの第１のセット、および第２の送信プロファイルに適用可能であり得るファクタの第２のセットを用いて構成され得る。超信頼性のトラフィックに適した送信プロファイルは、例えば、ＰＵＳＣＨリソースの大きな部分の使用を可能にすることができる。
【０１５２】
例では、ＷＴＲＵは、ＵＣＩダイバーシティが適用されるかどうかを決定することができる。例えば、ＳＲ構成は、ＵＣＩダイバーシティに適用可能なＰＵＣＣＨリソース（またはＰＵＣＣＨダイバーシティリソース）の構成を含むことができる。例えば、ＳＲが、このようなＳＲ構成にマップされた論理チャネル（ＬＣＨ）によりトリガされたとき、ＷＴＲＵは、複数のＰＵＣＣＨリソース（またはＰＵＣＣＨダイバーシティリソース）を介してＳＲを送信することができる。
【０１５３】
送信間の優先順位付けを提供することができる。例では、優先順位レベルは、送信プロファイル（例えば、各送信プロファイル）に対して定義または構成され得る。優先順位レベルは、例えば、競合が存在する場合、例えば、１つまたは複数の送信を、除外もしくは中断する、縮小する、より少ないリソースに割り当てる、または後で処理できるかどうかを決定するために使用することができる。競合の発生は、例えば、（例えば、リソースが予約され得る状況と比較して）より多くの割合のシステムリソースを使用できるようにすることにより、有益なものとなり得る（例えば、システムの観点から）。
【０１５４】
優先順位付けを、電力スケーリングに提供することができる。例では、ＷＴＲＵは、例えば、構成された合計の最大電力が、ある時間期間中に（例えば、サブフレーム、スロット、またはミニスロット中に）超過する可能性があるとき、少なくとも１つの送信を縮小することができる。スケーリングに対する優先度の順序は、（例えば、ＵＣＩまたはデータタイプなどの他の基準に加えて）送信プロファイルに応ずることができる。例では、送信プロファイル基準は、他の基準に対して優先する、または取って代わることができる。例では、第１の送信プロファイルが、第２の送信プロファイルよりも高い優先順位レベルを有する場合、第１の送信プロファイルに従って送信されるデータを含むことのできるＰＵＳＣＨは、第２の送信プロファイルに従って送信されるＨＡＲＱ−ＡＣＫを含むことのできるＰＵＣＣＨの前に、電力が割り当てられ得る。送信プロファイルを使用することに基づく優先順位付けは、ＨＡＲＱ−ＡＣＫが、普通であればデータに対して優先順位付けされ得る場合であっても、適用することができる。
【０１５５】
優先順位付けは、送信を、または送信の少なくとも一部を除外するために提供することができる。例では、ＷＴＲＵは、複数の送信が、リソースのサブセットにわたり重複している可能性のあること、また例えば、その重複している送信に関連付けられた送信プロファイルに基づいて、送信のうちの少なくとも１つの少なくとも一部を除外する、または中断できることを決定することができる。ＷＴＲＵは、例えば、最も高い優先順位を有する送信（例えば、送信プロファイルに基づく）を、リソースを介して送信できると決定することができる。
【０１５６】
重複は、例えば、様々な時間に、かつ異なるレイテンシ要件で受信され得るスケジューリング命令から生ずる可能性がある。例では、ＷＴＲＵは、一定のスロットのいくつかのシンボルにおいて、ＰＵＣＣＨを介してＨＡＲＱ−ＡＣＫの送信を必要とし得るダウンリンク割当てを受信することがある。ＷＴＲＵは、同じスロットに対するＰＵＳＣＨ送信に対して許可を受信する（例えば、その後に続いて許可を受信する）ことができる。ＷＴＲＵは、例えば、ＰＵＳＣＨを介して送信され得るアップリンクデータに関連付けられた送信プロファイルが、ＰＵＣＣＨを介して送信され得るＨＡＲＱ−ＡＣＫに関連付けられた送信プロファイルよりも高い優先順位レベルを有するとき、ＰＵＳＣＨ送信は、ＰＵＣＣＨ送信に対して優先することを決定することができる。このような決定に基づいて、ＷＴＲＵは、ＰＵＳＣＨ送信に対して重複するリソースを使用することができ、ＰＵＣＣＨ送信を除外することができる。例では、ＷＴＲＵは、重複したリソースを介してＰＵＣＣＨを送信することができる。ＷＴＲＵは、例えば、レートマッチング計算において、リソースの低減した量を考慮して、ＰＵＳＣＨ用に示され得る残りのリソースを使用することができる。
【０１５７】
ＷＴＲＵは、第１のリソースでＰＵＣＣＨを介するＨＡＲＱ−ＡＣＫの送信を示す第１のダウンリンク割当てを受信することができる。ＷＴＲＵは、第２のリソースでＰＵＣＣＨを介するＨＡＲＱ−ＡＣＫの送信を示す第２のダウンリンク割当てを受信する（例えば、その後に続いて受信する）ことができる。ＷＴＲＵは、例えば、第１のリソースおよび第２のリソースが重複している、または同じである場合、高い優先順位の送信プロファイルを有するＰＤＳＣＨ（またはＰＤＣＣＨ）に対応するＨＡＲＱ−ＡＣＫを送信することができる。ＷＴＲＵは、例えば、ＣＯＲＥＳＥＴ、探索空間、および／またはＲＮＴＩに基づいて、ＰＤＳＣＨ（またはＰＤＣＣＨ）に対応するＨＡＲＱ−ＡＣＫを送信することができる。
【０１５８】
例では、ＷＴＲＵは、スロットを介してＰＵＳＣＨに対する許可を受信することができる。ＷＴＲＵは、同じスロットの１つまたは複数のリソースを介して（例えば、短いＰＵＣＣＨに対する最後の時間シンボルを介して、または長いＰＵＣＣＨに対するアップリンクで利用可能な１つまたは複数の時間シンボル（例えば、時間シンボルの大部分またはすべて）を介して、ＰＵＣＣＨの送信を必要とし得るダウンリンク割当てを受信する（例えば、その後に続いて受信する）ことができる（またはスケジューリング要求をトリガすることができる）。ＷＴＲＵは、例えば、ＰＵＣＣＨが、ＰＵＳＣＨを介して送信されるデータよりも高い送信プロファイルに関連付けられたＵＣＩを含むとき、ＰＵＣＣＨを、重複したリソースを介して送信できると決定することができる。ＷＴＲＵは、ＰＵＳＣＨを除外する、またはＰＵＳＣＨを、例えば、重複したリソースに適用されるパンクチャリングを用いて、重複されていないリソースを介して送信できると決定することができる。一連のアクションは、中断する送信のタイプ（例えば、短いＰＵＣＣＨにより中断されたときＰＵＳＣＨはなお送信され得る）、および／または中断されたリソースの割合は、閾値を超えるかどうかに応ずることができる。
【０１５９】
ＷＴＲＵは、ＨＡＲＱ−ＡＣＫおよびＣＳＩを単一のＰＵＣＣＨ送信またはＰＵＳＣＨ送信へと多重化することができ、かつＣＳＩレポートのサブセット（例えば、ＮreportedCSI）を、構成され得る最大の符号化率に基づいて選択できると決定することができる。ＣＳＩレポートに対する優先度の順序は、送信プロファイル（または構成されたＢＬＥＲターゲット値）に応ずることができ、したがって、低いＢＬＥＲターゲット値に関連付けられたＣＳＩレポートは、高いＢＬＥＲターゲット値に関連付けられたＣＳＩレポートよりも高い優先順位を有するものと見なすことができる。ＢＬＥＲターゲット値または送信プロファイルから決定される優先順位は、例えば、ＣＳＩのタイプなど、ＣＳＩレポートの選択に使用される他の優先順位基準のうちの少なくとも１つに対して優先することができる。例えば、こうすることは、高いＢＬＥＲターゲット値に関連付けられたＣＳＩレポートのＲＩ（ランク情報）よりも高い全体の優先順位を有する低いＢＬＥＲターゲット値に関連付けられたＣＳＩレポートのプリコーディング行列情報（ＰＭＩ）を得ることができる。
【０１６０】
ＤＬデータ処理に対する優先順位付けを提供することができる。例では、ＷＴＲＵは、少なくとも１つのＰＤＳＣＨを介して、異なる送信プロファイルを有するＤＬデータを受信するようにスケジュールされ、そのＤＬデータに関連付けられたＨＡＲＱ−ＡＣＫを報告することができる（例えば、特定の回数）。ＷＴＲＵは、対応するＨＡＲＱ−ＡＣの送信用の時間内に、少なくとも１つの符号ブロックの復号を完了できない可能性がある。ＷＴＲＵは、例えば、ＤＬデータに関連付けられた送信プロファイルに従って、高い優先順位のＤＬデータの復号を優先させることができる。
【０１６１】
例では、ＨＡＲＱ−ＡＣＫは、トランスポートブロックに対して、少なくとも１つの符号ブロックグループの復号が完了する前に送信され得る。データに関連付けられた送信プロファイルに応じて、ＷＴＲＵは、以下の方法のうちの１つを用いてＨＡＲＱ−ＡＣＫを設定することができる。ＷＴＲＵは、例えば、復号が完了され得るとき、まだ復号されていない符号ブロックグループのＨＡＲＱ−ＡＣＫをＡＣＫに設定することができ、かつそれを、トランスポートブロックの少なくとも１つの他の符号ブロックグループに対してＮＡＣＫに設定することができる。ＷＴＲＵは、ＮＡＣＫに設定され得るもの以外の１つまたは複数の符号ブロックグループに対して、ＨＡＲＱ−ＡＣＫをＡＣＫに設定することができる。こうすることにより、例えば、いくつかの、まだ復号されていない符号ブロックが成功し、再送信を必要としない可能性のある場合、ネットワークにより、再送信に使用され得るリソースの量を最小化することができる。この例示的な手順は、例えば、低い優先順位を有する可能性のある送信プロファイルに対して選択され得る。
【０１６２】
例では、ＷＴＲＵは、まだ復号されていない符号ブロックグループのＨＡＲＱ−ＡＣＫをＮＡＣＫに設定することができる。こうすることは、例えば、復号の結果が不成功であり得る場合など、再送信データをより速く利用可能になるなど、トランスポートブロック送達のレイテンシを最小化することができる。この例示的な手順は、例えば、高い優先順位を有することのできる送信プロファイルに対して選択され得る。
【０１６３】
優先順位付けは、リソース共有に対して提供することができる。例では、ＷＴＲＵは、異なる送信プロファイルに従って、ＵＣＩおよび／またはアップリンクデータを、（例えば、同じ）ＰＵＳＣＨ送信またはＰＵＣＣＨ送信へと多重化するように構成することができる。送信プロファイルに従って、ＵＣＩまたはデータに割り当てることのできるリソースの割合（例えば、リソース要素（ＲＥ））は、送信プロファイルの相対的な優先順位レベルに応ずることができる。例では（例えば、ＰＵＳＣＨにおけるＵＣＩ多重化に関する）、例えば、ＵＣＩに関連付けられた送信プロファイルの優先順位が、データに関連付けられた送信プロファイルの優先順位よりも高いとき、ＵＣＩのタイプに対するベータパラメータの第１の値を適用することができる。例えば、送信プロファイルが、等しい優先順位を有する場合、ベータパラメータの第２の値を適用することができる。例えば、ＵＣＩに関連付けられた送信プロファイルの優先順位が、データの送信プロファイルに関連付けられた優先順位よりも低い場合、第３の値を適用することができる。
【０１６４】
ペイロード／ＭＣＳ選択は、優先順位付けに基づくことができる。例では、ＷＴＲＵは、例えば、送信が、送信プロファイルによる高い優先順位の送信と競合しない場合、第１の変調符号化方式、トランスポートブロックサイズ、および／または送信に対するペイロードを使用するように構成することができる。ＷＴＲＵは、例えば、送信が、送信プロファイルによる高い優先順位の送信と競合する場合、第２の変調符号化方式、トランスポートブロックサイズ、または送信に対するペイロードを使用するように構成することができる。競合は、例えば、複数の送信のリソースが重複するとき、または構成された最大の合計送信電力が過度のものであり得る場合の状況に相当することができる。
【０１６５】
状態ベースの差別化された処理を提供することができる。例では、ＷＴＲＵは、（例えば、送信プロファイル状態に基づいて）送信プロファイルに対応するパラメータのセットを適用することができる。送信プロファイル状態は、ネットワークからのインジケーションによって変わり得る。例えば、送信プロファイル状態は、ＭＡＣ制御要素（ＭＡＣ  ＣＥ）により、またはダウンリンク制御情報（ＤＣＩ）により変化し得る。送信プロファイル状態は、タイマ（例えば、タイミングアドバンス（ＴＡ）タイマ）の終了など、イベントが生じたときに変化し得る。送信プロファイルに対応するパラメータのセットは、ＨＡＲＱ−ＡＣＫ／ＮＡＣＫに対するＰＵＣＣＨリソースのセット、ＰＵＳＣＨにおいてＵＣＩに使用されるリソース要素の一部を決定するために使用されるパラメータのセットなどを含むことができる。
【０１６６】
例では、送信プロファイルおよび関連するパラメータを、帯域幅部分に対して構成することができる。複数の帯域幅部分を用いて構成されたＷＴＲＵは、アクティブな帯域幅部分に対応する送信プロファイルおよび関連するパラメータを適用することができる。ＷＴＲＵは、アクティブな帯域幅部分の変化を示すＤＣＩまたはＭＡＣ  ＣＥを受信することができる。ＷＴＲＵは、（例えば、このインジケーションを受信すると）受信した（または示された）アクティブな帯域幅部分に関連付けられた送信プロファイル、および関連するパラメータを適用することができる。
【０１６７】
例では、ＷＴＲＵは、アクティブな帯域幅部分の変化を示すＤＣＩを受信することができる（例えば、その場合、新しいアクティブな帯域幅部分、および既存のアクティブな帯域幅部分は、少なくとも送信プロファイルおよび関連するパラメータを除き、同じ構成を共有することができる）。例えば、ＷＴＲＵは、同じ周波数割り当てを有する２つの帯域幅部分を用いて構成することができる。ＷＴＲＵが、アクティブな帯域幅部分の（例えば、この条件を満たす）変化のインジケーションを受信したとき、ＷＴＲＵは、ＤＣＩにおいて示されたパラメータに基づいてＤＣＩが受信されたスロットと同じスロットにおいてＰＤＳＣＨを受信することができる（例えば、アクティブな帯域幅部分に変化がない場合と同様に）。例では、ＷＴＲＵは、新しいアクティブな帯域幅部分が、既存のアクティブな帯域幅部分と同じ周波数割り当てを有しない、アクティブな帯域幅部分のインジケーションを受信した場合、ＷＴＲＵは、ＰＤＳＣＨの受信においてギャップを適用することができる（例えば、再調整できるようにするために、かつ／または他のアクション（例えば、新しいアクティブな帯域幅部分に対するＣＳＩ測定など）を実施するために）。
【０１６８】
複数の送信間の重複を有する送信特性を処理するためのシステム、方法、および手段を提供することができる。ＷＴＲＵは、複数の送信の間の時間に、例えば、第１の送信と第２の送信の間の時間に、重複が存在すると決定することができる。ＷＴＲＵは、以下のもの、すなわち、（１）送信のうちのサブセット（例えば、１つ）を実施すること、（２）送信の１つを取り消す、除外する、または（例えば、すでに進行している場合）中断すること、（３）送信の１つを一時中断する、かつ／または遅らせること、（４）例えば、送信間に周波数における重複がない場合、両方の送信を実施する、かつ／または少なくとも１つの送信に対して電力スケーリング機能を適用すること、または（５）例えば、普通であれば、第２の送信を用いて搬送されていた情報の少なくとも一部を搬送するために、第１の送信の少なくとも１つの特性を修正すること、のうちの少なくとも１つを実施することができる。例えば、ＷＴＲＵは、スケジューリング要求（ＳＲ）を示すために、第１のＰＵＳＣＨ送信に対する復調参照信号（ＤＭ−ＲＳ）の特性を修正することができる。修正は、例えば、ゼロ電力を割り当てること、第２の事前構成されたリソースに変更すること、位相を変更することなどを含むことができる。ＷＴＲＵは、例えば、ＰＵＣＣＨ上のＳＲなど、普通であれば時間で重複している第２の送信にゼロ電力を割り当てることを組み合わせて、このようなアクションを実施することができる。
【０１６９】
本明細書で述べられる送信の他の例では、第１の送信は、ＳＲを含むことができ、また第２の送信は、ＰＵＳＣＨ（またはＰＵＣＣＨ）を含むことができる。高い優先順位のトラフィックに関連付けられるＳＲは、ＰＵＳＣＨまたはＰＵＣＣＨと多重化することができる。ＷＴＲＵは、ＰＵＳＣＨ送信またはＰＵＣＣＨ送信など、第２の送信プロファイルに関連付けられた送信の少なくとも１つの特性を修正することにより、第１の送信プロファイルに関連付けられたＳＲなどのアップリンク制御情報を示す、かつ／または送信することができる。例では、第１の送信プロファイルは、第２の送信プロファイルよりも高い優先順位を有することができる。例では、ＰＵＳＣＨ送信またはＰＵＣＣＨ送信の持続期間は、第１の送信プロファイルに対するスケジューリング要求の周期性よりも長い（例えば、大幅に長い）可能性がある。ＰＵＳＣＨ送信またはＰＵＣＣＨ送信の長さは、ＳＲを送信する前にＰＵＳＣＨ送信またはＰＵＣＣＨ送信の終了を待つことが、レイテンシ値（例えば、受け入れられるレイテンシ値）を超える可能性のある性質のものであり得る。
【０１７０】
修正され得る送信の少なくとも１つの特性は、復調参照信号（ＤＭ−ＲＳ）など、送信に埋め込まれた参照信号の特性を含むことができる。例えば、このような特性は、ＤＭ−ＲＳを搬送する２つの時間シンボル間の相対位相を含むことができる。相対位相は、例えば、ＳＲが送信されない場合、第１の値とすることができる。相対位相は、スケジューリング要求が送信される場合、第２の値とすることができる。
【０１７１】
修正され得る送信の少なくとも１つの特性は、少なくとも１つの時間シンボル（またはリソース要素）の送信電力パラメータを含むことができる。例えば、少なくとも１つのシンボルの送信電力は、ＳＲが送信されたとき、残りのシンボルの送信電力と比較して、低減され得る。例では、少なくとも１つのシンボルの送信電力は、ゼロへと低減することができ、かつ／またはＷＴＲＵは、少なくとも１つのシンボル上で送信しない可能性がある。こうすることは、ＳＲの送信をネットワークが確実に検出できるようにし、かつＰＵＳＣＨの復号を成功させることができる。
【０１７２】
送信が修正され得る少なくとも１つの時間シンボル（またはリソース要素）は、送信の時間シンボルのサブセットに制限され得る。例えば、インジケーションが参照信号の特性の修正により伝達される場合、時間シンボルは、このような参照信号を伝達する時間シンボルに限定され得る。修正により影響される時間シンボルは、ＳＲのトリガの後に参照信号を伝達する時間シンボル（例えば、すべての時間シンボル）を含むことができる。例では、インジケーションが、少なくとも１つの時間シンボルの送信電力の修正によって伝達される場合、そのサブセットは、スケジューリング要求の構成された周期性に基づいて決定され得る。少なくとも１つの影響を受けた時間シンボルは、スケジューリング要求の構成された機会と同時に生じ得るＳＲのトリガのすぐ後の単一のシンボルまたは時間シンボル（例えば、すべての時間シンボル）を含むことができる。例では、参照信号を含む１つまたは複数の時間シンボルは、サブセットから排除され得る。
【０１７３】
例では、ＰＵＳＣＨ送信またはＰＵＣＣＨ送信のリソース要素（または時間シンボル）のサブセットは、送信の開始以来、ＳＲがトリガされているかどうかを示すように構成することができる。ＷＴＲＵは、時間ドメインで規則的に（例えば、周期的に）生ずるリソース要素の少なくとも１つのこのようなサブセットを用いて構成することができる。このような構成は、ＳＲの構成された周期性に依存し得るが、またはＳＲの送信に対する構成された機会に一致することができる。所与のサブセットを介して、ＷＴＲＵは、例えば、サブセットの時間シンボル前のオフセットまで、ＳＲがトリガされていない場合、変調されたシンボルの第１の事前定義のシーケンスを送信することができる。ＷＴＲＵは、例えば、ＳＲがトリガされた場合、変調されたシンボルの第２の事前定義のシーケンスを送信することができる。事前定義のシーケンスは、リソース要素のサブセットに対して、またはＰＵＳＣＨもしくはＰＵＣＣＨ送信の変調されたシンボルがマップされるリソース要素のセットから、最初に除外され得るリソース要素に対してマップされた（例えば、前にマップされた）ＰＵＳＣＨもしくはＰＵＣＣＨの変調されたシンボルに（例えば、パンクチャリングを用いて）上書きすることができる。
【０１７４】
提供され得るタイミングに基づいて、送信特性の処理を行うためのシステム、方法、および手段を提供することができる。例えば、ＷＴＲＵ処理時間など、利用可能なＷＴＲＵ処理に応じて、１つまたは複数の側面を決定することができる。
【０１７５】
ＷＴＲＵは、少なくとも１つの優先順位付けまたは多重化ソリューションを適用できると決定することができる。優先順位付けまたは多重化ソリューションは、例えば、以下のもの、すなわち、（１）データをいつ送信に利用できるか、または送信に適用可能なデータが、ＢＳＲの送信および／またはＳＲの送信をいつトリガできるかのタイミング側面、（２）スケジューリング要求（ＳＲ）をいつトリガできるかのタイミング側面、（３）アップリンク送信（例えば、ＰＵＳＣＨ送信またはＰＵＳＣＨ送信）を示すダウンリンク制御情報がいつ受信され得るかのタイミング側面、（４）例えば、少なくとも構成された許可の場合、または別の周期的、もしくは半恒久的送信（例えば、ＣＳＩ、ＳＲＳなど）の場合の、上位レイヤシグナリングを受信するタイミング側面、（５）構成された、または動的な許可に従って、ＰＵＳＣＨ送信がいつ開始する（かつ／または終了する）ようにスケジュールされ得るかに関するタイミング側面、（６）ＰＵＣＣＨ送信が、例えば、半静的な構成、またはダウンリンク制御情報のインジケーションに従って、いつ開始（かつ／または終了する）できるかに関するタイミング側面、（７）ＰＵＳＣＨまたはＰＵＣＣＨ送信の持続期間、または（８）例えば、ページング要求の受信、ＲＲＣ接続再確立などの手順の開始など、任意の他の理由で、送信が将来行われるといつ決定され得るかに関するタイミング側面、のうちの少なくとも１つを含む１つまたは複数のタイミング側面に応じたものとすることができる。例えば、（１）の場合、ＷＴＲＵは、新しいデータが、特定の優先順位および／またはタイプの論理チャネル（ＬＣＨ）に対する送信に利用可能になったとき、または送信に利用可能なデータが、バッファ状態レポート（ＢＳＲ）の送信、および／またはＳＲの送信をトリガできるとき、このような決定を実施することができる。ＷＴＲＵは、マッピング制限（例えば、送信マッピング制限に対するＬＣＨ）、プロファイル、および／またはＬＣＨ／論理チャネルグループ（ＬＣＧ）優先順位に関連付けられたデータに対してこのような決定を行うことができる。
【０１７６】
ＷＴＲＵは、特定のプロファイルに対して、かつ／または特定のＬＣＨ／ＬＣＧ優先順位に対して、データに対する、かつ／または特定の（送信へのＬＣＨ）マッピング制限に関連付けられた送信に対する優先順位付けもしくは多重化ソリューションのうちの少なくとも一方を適用するこのような決定を実施することができる。例えば、ＷＴＲＵは、少なくとも２つ以上の送信（例えば、部分的に重複する送信）に対して適用され得る優先順位付けまたは多重化ソリューションを決定することができる。決定は、本明細書で述べられるように、第１の送信の開始時間と、第２の送信が存在すると決定された時間との間の差に基づいて行うことができる。
【０１７７】
ＷＴＲＵは、例えば、ＷＴＲＵが、第１のイベント（イベントＡ）がイベントＢ（イベントＢ）の開始前の少なくともｘシンボルの時間に生じると決定した場合、第１のアクション１（アクション１）、または第２のアクション（アクション２）を実施することができる。イベントＢは、知られたイベントとすることができる。
【０１７８】
ＳＲトリガは、許可の適切さに応じたものであり得ることを示すために、１つまたは複数のタイミングケースを提供することができる。イベントＡは、ダウンリンク制御シグナリングの受信に関連付けられたＷＴＲＵの自律的なトリガに、かつ／またはイベントＢのものよりも高い優先順位に相当し得る（例えば、適用可能な送信プロファイルに基づいて）イベントに対応することができる。自律的なトリガは、例えば、新しいデータが送信に利用可能になったときにＳＲをトリガするなど、本明細書で述べられたタイミング側面のうちの１つとすることができる。イベントＢは、スケジュールされたイベント（例えば、アップリンク送信）に対応することができる。
【０１７９】
アクション１においては、ＷＴＲＵは、スケジュールされた情報に作用するための十分な時間が利用可能であること、かつ／またはより優先順位の低いイベントが開始する前に、２つのイベントのうちの一方を優先順位付けすることを決定することができる。アクション２では、ＷＴＲＵは、優先順位の低いイベントが開始する前に、その送信を調整する、かつ／または２つのイベントの一方を優先順位付けするための十分な時間がないと決定することができ、したがって、それに代えて、対応する進行中の送信の特性を修正するように決定することができる。ＷＴＲＵは、例えば、ＲＲＣによって、ｘの値を用いて構成することができ、ここで、ｘは、例えば、フレーミング単位（例えば、ミニスロット、スロット、サブフレーム）におけるシンボルの時間値、または例えば、ミリ秒など、絶対時間における時間値とすることができる。
【０１８０】
例では、イベントＡは、例えば、ＵＲＬＬＣデータの送信に対応する送信プロファイルなど、送信プロファイルに関連付けられたデータに対するＳＲトリガに対応することができる。イベントＢは、例えば、ｅＭＢＢデータの送信に対応する送信プロファイルなど、送信プロファイルに関連付けられたデータに対する、ＰＵＳＣＨ上のアップリンク送信の開始に対応することができる。
【０１８１】
アクション１は、例えば、ｅＭＢＢデータに対応するＰＵＳＣＨ送信などのアップリンク送信の取消しに対応することができ、ＷＴＲＵは、ＵＲＬＬＣタイプのデータに対応するリソース／方法を用いてＳＲ送信を実施する。アクション２は、例えば、本明細書で述べるように、ＵＲＬＬＣを求めるＳＲを示すために、ｅＮＢＢに対するＰＵＳＣＨ送信の１つまたは複数の特定のシンボルおよび／またはＤＭ−ＲＳ修正の取消し／除外／ゼロ電力設定に対応することができる。
【０１８２】
例では、送信の１つは、例えば、ＵＲＬＬＣサービスなど、第１の送信プロファイルもしくは同様のものに対応することができ、別のものは、例えば、ｅＭＢＢサービスなど、第２の送信プロファイルに対応することができる。このような例では、ＷＴＲＵが、十分な処理時間（例えば、２つのイベントの間の時間がｘ未満であるなど）があると決定する場合、またＷＴＲＵが、少なくとも部分的に重複する送信のいずれかが開始する前にこの決定を行う場合、ＷＴＲＵは、信号の異なる組合せに対して、以下のもの、すなわち、（１）ＷＴＲＵは、（ＵＲＬＬＣに対する）ＳＲを優先順位付けし、（ｅＭＢＢに対する）ＰＵＳＣＨを除外することができる、（２）ＷＴＲＵは、例えば、ＬＴＥに対するＰＵＳＣＨ上のＵＣＩに使用される、同様の連結原理を用いて、（ＵＲＬＬＣに対する）ＳＲを先頭に付加し、かつ／または（ｅＭＢＢに対する）ＰＵＳＣＨをパンクチャすることができる、（３）ＷＴＲＵは、例えば、ＰＵＳＣＨ（ｅＭＢＢに対する）の一部を除外し、それをｓＰＵＳＣＨ（ＢＳＲ（ＵＲＬＬＣに対する）を含む）で置き換えるなど、送信を埋め込むことができる、（４）ＷＴＲＵは、ＰＵＳＣＨ（ｅＭＢＢに対する）のＤＭ−ＲＳシーケンスに対する修正を用いて、ＳＲを信号送りすることができる、（５）ＷＴＲＵは、例えば、ＷＴＲＵが、電力制限される場合、例えば、電力スケーリングを適用するなど、ＵＬ  ＰＣを調整することができる、のうちの少なくとも１つを実施することができる。
【０１８３】
例では、ＷＴＲＵが、十分な処理時間がない（例えば、２つのイベントの間の時間がｘ未満であるなど）と決定したとき、またはＷＴＲＵが、少なくとも部分的に重複している送信のうちのいずれか１つを開始する前にこの決定を行わない場合、ＷＴＲＵは、信号の異なる組合せに対して、以下のもの、すなわち、（１）ＷＴＲＵは、進行中の（ｅＭＢＢに対する）ＰＵＳＣＨを中断する／妨げる、もしくはパンクチャすることができ、かつＷＴＲＵは、例えば、代わりに短いＰＵＣＣＨでなど、関連するリソースを用いてＳＲ（ＵＲＬＬＣに対する）を送信する、例えば、代わりに短いＰＵＳＣＨ（ＵＲＬＬＣに対する）など、ＢＳＲ（ＵＲＬＬＣに対する）を送信する、かつ／または例えば、代わりに短いＰＵＳＣＨ（ＵＲＬＬＣに対する）など、ＵＲＬＬＣ  ＴＢを送信することができる、（２）ＷＴＲＵは、進行中のＰＵＳＣＨ（ｅＭＢＢに対する）に対してＤＭ−ＲＳシーケンスの変更を用いてＳＲを信号送りすることができる、（３）ＷＴＲＵは、それにしたがって（例えば、ＤＭ−ＲＳのブーストに対して）ＵＬ  ＰＣを調整することができる、のうちの少なくとも１つを実施することができる。
【０１８４】
例では、ＷＴＲＵが、例えば、同時のＰＵＳＣＨ＋ＰＵＳＣＨまたはＰＵＳＣＨ＋ＰＵＣＣＨで構成される場合、同じキャリア上でさらなる送信を開始することができる。ＷＴＲＵは、例えば、構成され、かつ／またはアクティブである場合、同じ帯域幅部分で、または異なる帯域幅部分で、さらなる送信を送ることができる。ＷＴＲＵは、非ジョイントリソース、および／またはジョイントリソースを用いるこのような送信を実施することができる。非ジョイントリソースは、他の進行中の送信と共に開始され得る別個のＰＵＳＣＨおよび／またはＰＵＣＣＨ送信を含むことができる。ジョイントリソースは、例えば、ＵＲＬＬＣが構成され、かつ／または他のタイプのトラフィック（例えば、より低い優先順位のもの）に対するいずれかの許可が、ＳＲ、ＢＳＲのさらなる送信に対するリソースを含み得るとき、使用することができる。
【０１８５】
ＷＴＲＵは、１つまたは複数の電力制御機能を用いて電力を割り当てることができる。ＷＴＲＵは、時間において少なくとも部分的に重複して送信され得る送信を考慮することができるが、それに対して、このような送信が送信されるかどうかの決定をＷＴＲＵが行っていないこともあり得る。ＷＴＲＵは、このような送信を送信するかどうかの決定を行うことにおいて、以下のファクタを含むことができる、すなわち、電力割り当て機能における各優先順位、その方法、および／または、例えば、最大電力低減（ＭＰＲ）設定に対して実施された場合、使用され得るリソースである。
【０１８６】
本明細書で述べられたシステムおよび／または方法は、コンピュータおよび／またはプロセッサにより実行されるコンピュータ可読媒体に組み込まれたコンピュータプログラム、ソフトウェア、および／またはファームウェアで実施することができる。コンピュータ可読媒体の例は、電子信号（有線および／または無線接続を介して送信される）、および／またはコンピュータ可読記憶媒体を含むことができる。コンピュータ可読記憶媒体の例は、読出し専用メモリ（ＲＯＭ）、ランダムアクセスメモリ（ＲＡＭ）、レジスタ、キャッシュメモリ、半導体メモリデバイス、これだけに限らないが、内臓ハードディスクおよび取外し可能ディスクなどの磁気媒体、光磁気媒体、ならびに／またはＣＤ−ＲＯＭディスクおよび／またはデジタル多用途ディスク（ＤＶＤ）などの光媒体を含むことができる。ソフトウェアに関連するプロセッサは、ＷＴＲＵ、端末、基地局、ＲＮＣ、および／または任意のホストコンピュータで使用される無線周波数送受信機を実施するために使用することができる。  
【図１Ａ】
2020523856.tif 000003
【図１Ｂ】
2020523856.tif 000004
【図１Ｃ】
2020523856.tif 000005
【図１Ｄ】
2020523856.tif 000006
【図２】
2020523856.tif 000007
【図３】
2020523856.tif 000008
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
ダウンリンク制御情報（ＤＣＩ）を含む少なくとも１つの物理ダウンリンク制御チャネル（ＰＤＣＣＨ）送信を受信するように構成された受信機と、
プロセッサであって、少なくとも
アップリンク制御情報（ＵＣＩ）に関連付けられた１つまたは複数の送信特性を決定するよう構成されたプロセッサであって、前記１つまたは複数の送信特性は、前記受信されたＰＤＣＣＨ送信に関連付けられた少なくとも１つの属性と、前記ＵＣＩに関連付けられたデータの属性とに基づいて決定され、前記ＰＤＣＣＨ送信は、制御リソースセット（ＣＯＲＥＳＥＴ）の１つまたは複数のリソースにマップされ、前記１つまたは複数の送信特性は、少なくとも１つの符号化パラメータ、少なくとも１つの送信電力パラメータ、少なくとも１つのリソース割り当てパラメータ、または優先順位レベルの１つ以上を含む、プロセッサと、
物理アップリンク制御チャネル（ＰＵＣＣＨ）を介して前記ＵＣＩを送信するように構成された送信機であって、前記ＵＣＩは前記決定された送信特性を用いて送信される、送信機と
を備えたＷＴＲＵ。
【請求項２】
前記送信機は、前記ＣＯＲＥＳＥＴ、探索空間、または無線ネットワーク一時識別子（ＲＮＴＩ）の１つ以上に基づいて、前記ＵＣＩを送信するように構成された請求項１に記載のＷＴＲＵ。
【請求項３】
前記１つまたは複数の送信特性は、前記受信されたＤＣＩにおける少なくとも１つのＤＣＩフィールド、または、前記ＤＣＩもしくは前記ＵＣＩの少なくとも１つを送信するのに使用される帯域幅部分（ＢＷＰ）の識別のうちの１つ以上に基づいて決定される請求項１に記載のＷＴＲＵ。
【請求項４】
前記ＤＣＩは、第１のＤＣＩおよび第２のＤＣＩを含み、前記第１のＤＣＩは、第１の制御リソースセット（ＣＯＲＥＳＥＴ）を使用して受信され、また前記第２のＤＣＩは、第２のＣＯＲＥＳＥＴを用いて受信される請求項１に記載のＷＴＲＵ。
【請求項５】
前記第１のＣＯＲＥＳＥＴまたは前記第２のＣＯＲＥＳＥＴのそれぞれは、コンポーネントキャリア、少なくとも１つのＢＷＰ、各帯域幅部分内のリソースブロックのサブセット、スロットもしくはミニスロット内の時間シンボルのセット、サブキャリア間隔、サブフレーム内のスロットのサブセット、または少なくとも１つの参照信号のうちの１つ以上を含む請求項４に記載のＷＴＲＵ。
【請求項６】
前記ＵＣＩは、前記第１のＤＣＩまたは前記第２のＤＣＩの１つ以上に関連付けられたフィードバック情報ビットを含み、前記ＵＣＩは、第１のＵＣＩおよび第２のＵＣＩを含み、前記第１のＵＣＩまたは前記第２のＵＣＩは、前記第１のＤＣＩまたは前記第２のＤＣＩにより割り当てられたデータ送信に対するフィードバック情報ビットを含む請求項４に記載のＷＴＲＵ。
【請求項７】
前記ＵＣＩは、第１のＵＣＩおよび第２のＵＣＩを含み、前記第２のＵＣＩは、前記第１のＵＣＩの冗長送信に対応しており、前記第１のＵＣＩまたは前記第２のＵＣＩは、ハイブリッド自動再送要求（ＨＡＲＱ）、スケジューリング要求（ＳＲ）、またはチャネル品質指標（ＣＱＩ）のうちの１つ以上を含む請求項１に記載のＷＴＲＵ。
【請求項８】
データの前記属性は、前記ＵＣＩに関連付けられた論理チャネルの識別または論理チャネルグループの識別の１つ以上を含み、前記属性は、サービス品質（ＱｏＳ）メトリックである請求項１に記載のＷＴＲＵ。
【請求項９】
アップリンク制御情報（ＵＣＩ）送信方法であって、
ダウンリンク制御情報（ＤＣＩ）を含む少なくとも１つの物理ダウンリンク制御チャネル（ＰＤＣＣＨ）送信を受信するステップと、
アップリンク制御情報（ＵＣＩ）に関連付けられた１つまたは複数の送信特性を決定するステップであって、前記１つまたは複数の送信特性は、前記受信されたＰＤＣＣＨ送信に関連付けられた少なくとも１つの属性と、前記ＵＣＩに関連付けられたデータの属性とに基づいて決定され、前記ＰＤＣＣＨ送信は、制御リソースセット（ＣＯＲＥＳＥＴ）の１つまたは複数のリソースにマップされ、前記１つまたは複数の送信特性は、少なくとも１つの符号化パラメータ、少なくとも１つの送信電力パラメータ、少なくとも１つのリソース割り当てパラメータ、または優先順位レベルの１つ以上を含む、ステップと、
前記ＵＣＩを、物理アップリンク制御チャネル（ＰＵＣＣＨ）を介して送信するステップであって、前記ＵＣＩは、前記決定された送信特性を用いて送信される、ステップと
を備える方法。
【請求項１０】
前記ＣＯＲＥＳＥＴ、探索空間、または無線ネットワーク一時識別子（ＲＮＴＩ）の１つ以上に基づいて、前記ＵＣＩを送信するステップ
をさらに備える請求項９に記載の方法。
【請求項１１】
前記１つまたは複数の送信特性は、前記受信されたＤＣＩにおける少なくとも１つのＤＣＩフィールド、または前記ＤＣＩもしくは前記ＵＣＩの少なくとも１つを送信するのに使用される帯域幅部分（ＢＷＰ）の識別のうちの１つ以上に基づいて決定される請求項９に記載の方法。
【請求項１２】
前記ＤＣＩは、第１のＤＣＩおよび第２のＤＣＩを含み、前記第１のＤＣＩは、第１の制御リソースセット（ＣＯＲＥＳＥＴ）を使用して受信され、また前記第２のＤＣＩは、第２のＣＯＲＥＳＥＴを用いて受信される請求項９に記載の方法。
【請求項１３】
前記第１のＣＯＲＥＳＥＴまたは前記第２のＣＯＲＥＳＥＴのそれぞれは、コンポーネントキャリア、少なくとも１つのＢＷＰ、各帯域幅部分内のリソースブロックのサブセット、スロットもしくはミニスロット内の時間シンボルのセット、サブキャリア間隔、サブフレーム内のスロットのサブセット、または少なくとも１つの参照信号のうちの１つ以上を含む請求項１２に記載の方法。
【請求項１４】
前記ＵＣＩは、前記第１のＤＣＩまたは前記第２のＤＣＩの１つ以上に関連付けられたフィードバック情報ビットを含み、前記ＵＣＩは、第１のＵＣＩおよび第２のＵＣＩを含み、前記第１のＵＣＩまたは前記第２のＵＣＩは、前記第１のＤＣＩまたは前記第２のＤＣＩにより割り当てられたデータ送信に対するフィードバック情報ビットを含む請求項１２に記載の方法。
【請求項１５】
前記ＵＣＩは、第１のＵＣＩおよび第２のＵＣＩを含み、前記第２のＵＣＩは、前記第１のＵＣＩの冗長送信に対応しており、前記第１のＵＣＩまたは前記第２のＵＣＩは、ハイブリッド自動再送要求（ＨＡＲＱ）、スケジューリング要求（ＳＲ）、またはチャネル品質指標（ＣＱＩ）のうちの１つ以上を含む請求項９に記載の方法。
【請求項１６】
データの前記属性は、前記ＵＣＩに関連付けられた論理チャネルの識別または論理チャネルグループの識別の１つ以上を含み、前記属性は、サービス品質（ＱｏＳ）メトリックである請求項９に記載の方法。
【国際調査報告】
2020523856.tif 000009
2020523856.tif 000010
2020523856.tif 000011
2020523856.tif 000012